(57)【特許請求の範囲】
【請求項１】
アプリケーション記憶空間を表示するための方法であって、
第１の表示モードでデスクトップに第１のアイコンを端末が表示する段階と、
第１のアプリケーションによって使用された記憶空間が前記第１のアプリケーションの事前設定された記憶閾値より大きいかどうかを前記端末が決定する段階であって、前記第１のアイコンは、１または複数のアプリケーションに対応し、前記第１のアプリケーションは、前記第１のアイコンに対応する前記１または複数のアプリケーションのいずれか１つである、段階と、
前記第１のアプリケーションによって使用された前記記憶空間が、前記事前設定された記憶閾値より大きいと決定したとき、事前設定された表示モードで前記第１のアイコンを前記端末が表示する段階であって、前記事前設定された表示モードは、前記第１の表示モードとは異なる、段階と、
前記第１のアイコンに対して実行される第１の操作を前記端末が検出する段階と、
前記第１の操作が、事前設定されたクリーニング操作と一致するとき、クリーニングが必要なアプリケーションの記憶空間または全ての前記１または複数のアプリケーションの記憶空間を前記端末が解放し、前記クリーニングが必要なアプリケーションの空間解放進捗または全ての前記１または複数のアプリケーションの空間解放進捗をリアルタイムでデスクトップに表示する段階であって、前記クリーニングが必要なアプリケーションは、事前設定された記憶閾値より大きい記憶空間を使用する、前記第１のアイコンに対応する前記１または複数のアプリケーションの中の一アプリケーションを指し、全ての前記１または複数のアプリケーションは、前記第１のアイコンに対応する全ての前記第１または複数のアプリケーションを指す、段階と、
を備える方法。
【請求項２】
前記第１のアイコンに対して実行される前記第１の操作が中断された場合、前記クリーニングが必要なアプリケーションの前記記憶空間または全ての前記アプリケーションの前記記憶空間の解放を停止する、段階をさらに備える、請求項１に記載の方法。
【請求項３】
アプリケーション記憶空間を表示するための方法であって、
第１の表示モードでデスクトップに第１のアイコンを端末が表示する段階と、
第１のアプリケーションによって使用された記憶空間が前記第１のアプリケーションの事前設定された記憶閾値より大きいかどうかを前記端末が決定する段階であって、前記第１のアイコンは、１または複数のアプリケーションに対応し、前記第１のアプリケーションは、前記第１のアイコンに対応する前記１または複数のアプリケーションのいずれか１つである、段階と、
前記第１のアプリケーションによって使用された前記記憶空間が、前記事前設定された記憶閾値より大きいと決定したとき、事前設定された表示モードで前記第１のアイコンを前記端末が表示する段階であって、前記事前設定された表示モードは、前記第１の表示モードとは異なる、段階と
を備え、
第１の表示モードでデスクトップに第１のアイコンを端末が表示する前記段階は、
第１の面積に従って前記デスクトップに前記第１のアイコンを前記端末が表示する段階を有し、
事前設定された表示モードで前記第１のアイコンを前記端末が表示する前記段階は、
第２の面積に従って前記デスクトップに前記第１のアイコンを前記端末が表示する段階であって、前記第２の面積は、前記第１の面積より大きい、段階を有し、
第２の面積に従って前記デスクトップに前記第１のアイコンを前記端末が表示する前記段階の後、
前記第１のアイコンに対して実行される第１の操作を前記端末が検出する段階と、
前記第１の操作が、事前設定されたクリーニング操作と一致するとき、クリーニングが必要なアプリケーションの記憶空間または全ての前記１または複数のアプリケーションの記憶空間を解放し、前記クリーニングが必要なアプリケーションの空間解放進捗または全ての前記１または複数のアプリケーションの空間解放進捗をリアルタイムで前記デスクトップに表示する段階であって、前記クリーニングが必要なアプリケーションは、事前設定された記憶閾値より大きい記憶空間を使用する、前記第１のアイコンに対応する前記１または複数のアプリケーションの中の一アプリケーションを指し、全ての前記１または複数のアプリケーションは、前記第１のアイコンに対応する全ての前記１または複数のアプリケーションを指す、段階と、
前記第１のアイコンに対して前記第１の操作を実行することをユーザが停止したと決定したとき、前記第１の面積を目標として使用することによって、前記クリーニングが必要なアプリケーションの現在の空間解放進捗または全ての前記１または複数のアプリケーションの現在の空間解放進捗に応じて前記第１のアイコンの面積を前記端末が低減し、前記低減の後に取得される第３の面積に従って前記第１のアイコンを表示する段階であって、前記第３の面積は、前記第１の面積より小さくない、段階とをさらに備える方法。
【請求項４】
アプリケーション記憶空間を表示するための方法であって、
第１の表示モードでデスクトップに第１のアイコンを端末が表示する段階と、
第１のアプリケーションによって使用された記憶空間が前記第１のアプリケーションの事前設定された記憶閾値より大きいかどうかを前記端末が決定する段階であって、前記第１のアイコンは、１または複数のアプリケーションに対応し、前記第１のアプリケーションは、前記第１のアイコンに対応する前記１または複数のアプリケーションのいずれか１つである、段階と、
前記第１のアプリケーションによって使用された前記記憶空間が、前記事前設定された記憶閾値より大きいと決定したとき、事前設定された表示モードで前記第１のアイコンを前記端末が表示する段階であって、前記事前設定された表示モードは、前記第１の表示モードとは異なる、段階と
を備え、
第１の表示モードでデスクトップに第１のアイコンを端末が表示する前記段階は、
第１の色彩強度に従って前記デスクトップに前記第１のアイコンを前記端末が表示する段階を有し、
事前設定された表示モードで前記第１のアイコンを前記端末が表示する前記段階は、
第２の色彩強度に従って前記デスクトップに前記第１のアイコンを前記端末が表示する段階であって、前記第２の色彩強度は、前記第１の色彩強度より高い、段階を有し、
第２の色彩強度に従って前記デスクトップに前記第１のアイコンを前記端末が表示する前記段階の後、
前記第１のアイコンに対して実行される第１の操作を前記端末が検出する段階と、
前記第１の操作が、事前設定されたクリーニング操作と一致するとき、クリーニングが必要なアプリケーションの記憶空間または全ての前記１または複数のアプリケーションの記憶空間を解放し、前記クリーニングが必要なアプリケーションの空間解放進捗または全ての前記１または複数のアプリケーションの空間解放進捗をリアルタイムで前記デスクトップに表示する段階であって、前記クリーニングが必要なアプリケーションは、事前設定された記憶閾値より大きい記憶空間を使用する、前記第１のアイコンに対応する前記１または複数のアプリケーションの中の一アプリケーションを指し、全ての前記１または複数のアプリケーションは、前記第１のアイコンに対応する全ての前記１または複数のアプリケーションを指す、段階と、
前記第１のアイコンに対して前記第１の操作を実行することをユーザが停止したと決定したとき、前記第１の色彩強度を目標として使用することによって、前記クリーニングが必要なアプリケーションの現在の空間解放進捗または全ての前記１または複数のアプリケーションの現在の空間解放進捗に応じて前記第１のアイコンの色彩強度を前記端末が低減し、前記低減された第２の色彩強度に従って前記第１のアイコンを表示する段階であって、前記低減された第２の色彩強度は、前記第１の色彩強度より低くない、段階とをさらに備える方法。
【請求項５】
第１の表示モードでデスクトップに第１のアイコンを端末が表示する前記段階は、
第１の面積に従って前記デスクトップに前記第１のアイコンを前記端末が表示する段階を有し、
事前設定された表示モードで前記第１のアイコンを前記端末が表示する前記段階は、
第２の面積に従って前記デスクトップに前記第１のアイコンを前記端末が表示する段階であって、前記第２の面積は、前記第１の面積より大きい、段階を有する、
請求項１または２に記載の方法。
【請求項６】
第１の表示モードでデスクトップに第１のアイコンを端末が表示する前記段階は、
第１の色彩強度に従って前記デスクトップに前記第１のアイコンを前記端末が表示する段階を有し、
事前設定された表示モードで前記第１のアイコンを前記端末が表示する前記段階は、
第２の色彩強度に従って前記デスクトップに前記第１のアイコンを前記端末が表示する段階であって、前記第２の色彩強度は、前記第１の色彩強度より高い、段階を有する、
請求項１または２に記載の方法。
【請求項７】
前記事前設定されたクリーニング操作は、前記デスクトップの編集状態でユーザがアイコンを選択し、連続的に揺する操作である、請求項１から６のいずれか一項に記載の方法。
【請求項８】
第１の表示モードでデスクトップに第１のアイコンを表示する第１の表示モジュールと、
第１のアプリケーションによって使用された記憶空間が前記第１のアプリケーションの事前設定された記憶閾値より大きいかどうかを決定する決定モジュールであって、前記第１のアイコンは、１または複数のアプリケーションに対応し、前記第１のアプリケーションは、前記第１のアイコンに対応する前記１または複数のアプリケーションのいずれか１つである、決定モジュールと、
前記第１のアプリケーションによって使用された前記記憶空間が、前記事前設定された記憶閾値より大きいと前記決定モジュールが決定したとき、事前設定された表示モードで前記第１のアイコンを表示する第２の表示モジュールであって、前記事前設定された表示モードは、前記第１の表示モードとは異なる、第２の表示モジュールと、
前記第１のアイコンに対して実行される第１の操作を検出する検出モジュールと、
前記第１の操作が、事前設定されたクリーニング操作と一致するとき、クリーニングが必要なアプリケーションの記憶空間または全ての前記１または複数のアプリケーションの記憶空間を解放し、前記クリーニングが必要なアプリケーションの空間解放進捗または全ての前記１または複数のアプリケーションの空間解放進捗をリアルタイムでデスクトップに表示する解放モジュールであって、前記クリーニングが必要なアプリケーションは、事前設定された記憶閾値より大きい記憶空間を使用する、前記第１のアイコンに対応する前記１または複数のアプリケーションの中の一アプリケーションを指し、全ての前記１または複数のアプリケーションは、前記第１のアイコンに対応する全ての前記第１または複数のアプリケーションを指す、解放モジュールと、
を備える端末。
【請求項９】
前記解放モジュールは、前記第１のアイコンに対して実行される前記第１の操作が中断された場合、前記クリーニングが必要なアプリケーションの前記記憶空間または全ての前記アプリケーションの前記記憶空間の解放を停止する、請求項８に記載の端末。
【請求項１０】
第１の表示モードでデスクトップに第１のアイコンを表示する第１の表示モジュールと、
第１のアプリケーションによって使用された記憶空間が前記第１のアプリケーションの事前設定された記憶閾値より大きいかどうかを決定する決定モジュールであって、前記第１のアイコンは、１または複数のアプリケーションに対応し、前記第１のアプリケーションは、前記第１のアイコンに対応する前記１または複数のアプリケーションのいずれか１つである、決定モジュールと、
前記第１のアプリケーションによって使用された前記記憶空間が、前記事前設定された記憶閾値より大きいと前記決定モジュールが決定したとき、事前設定された表示モードで前記第１のアイコンを表示する第２の表示モジュールであって、前記事前設定された表示モードは、前記第１の表示モードとは異なる、第２の表示モジュールと
を備える端末であって、
前記第１の表示モジュールは、第１の面積に従って前記デスクトップに前記第１のアイコンを表示し、
前記第２の表示モジュールは、前記第１のアプリケーションによって使用された前記記憶空間が、前記事前設定された記憶閾値より大きいと前記決定モジュールが決定したとき、第２の面積に従って前記デスクトップに前記第１のアイコンを表示し、前記第２の面積は、前記第１の面積より大きく、
前記第１のアイコンに対して実行される第１の操作を検出する検出モジュールと、
前記検出モジュールによって検出された前記第１の操作が、事前設定されたクリーニング操作と一致するとき、クリーニングが必要なアプリケーションの記憶空間または全ての前記１または複数のアプリケーションの記憶空間を解放し、前記クリーニングが必要なアプリケーションの空間解放進捗または全ての前記１または複数のアプリケーションの空間解放進捗をリアルタイムで前記デスクトップに表示する第１の解放モジュールであって、前記クリーニングが必要なアプリケーションは、事前設定された記憶閾値より大きい記憶空間を使用する、前記第１のアイコンに対応する前記１または複数のアプリケーションの中の一アプリケーションを指し、全ての前記１または複数のアプリケーションは、前記第１のアイコンに対応する全ての前記１または複数のアプリケーションを指す、第１の解放モジュールと、
前記第１のアイコンに対して前記第１の操作を実行することをユーザが停止したと前記検出モジュールが決定したとき、前記第１の面積を目標として使用することによって、前記クリーニングが必要なアプリケーションの現在の空間解放進捗または全ての前記１または複数のアプリケーションの現在の空間解放進捗に応じて前記第１のアイコンの面積を低減し、前記低減の後に取得される第３の面積に従って前記第１のアイコンを表示する第３の表示モジュールであって、前記第３の面積は、前記第１の面積より小さくない、第３の表示モジュールと
をさらに備える端末。
【請求項１１】
第１の表示モードでデスクトップに第１のアイコンを表示する第１の表示モジュールと、
第１のアプリケーションによって使用された記憶空間が前記第１のアプリケーションの事前設定された記憶閾値より大きいかどうかを決定する決定モジュールであって、前記第１のアイコンは、１または複数のアプリケーションに対応し、前記第１のアプリケーションは、前記第１のアイコンに対応する前記１または複数のアプリケーションのいずれか１つである、決定モジュールと、
前記第１のアプリケーションによって使用された前記記憶空間が、前記事前設定された記憶閾値より大きいと前記決定モジュールが決定したとき、事前設定された表示モードで前記第１のアイコンを表示する第２の表示モジュールであって、前記事前設定された表示モードは、前記第１の表示モードとは異なる、第２の表示モジュールと
を備える端末であって、
前記第１の表示モジュールは、第１の色彩強度に従って前記デスクトップに前記第１のアイコンを表示し、
前記第２の表示モジュールは、第２の色彩強度に従って前記デスクトップに前記第１のアイコンを表示し、前記第２の色彩強度は、前記第１の色彩強度より高く、
前記第１のアイコンに対して実行される第１の操作を検出する検出モジュールと、
前記検出モジュールによって検出された前記第１の操作が、事前設定されたクリーニング操作と一致するとき、クリーニングが必要なアプリケーションの記憶空間または全ての前記１または複数のアプリケーションの記憶空間を解放し、前記クリーニングが必要なアプリケーションの空間解放進捗または全ての前記１または複数のアプリケーションの空間解放進捗をリアルタイムで前記デスクトップに表示する第２の解放モジュールであって、前記クリーニングが必要なアプリケーションは、事前設定された記憶閾値より大きい記憶空間を使用する、前記第１のアイコンに対応する前記１または複数のアプリケーションの中の一アプリケーションを指し、全ての前記１または複数のアプリケーションは、前記第１のアイコンに対応する全ての前記１または複数のアプリケーションを指す、第２の解放モジュールと、
前記第１のアイコンに対する前記第１の操作を実行することをユーザが停止したと前記検出モジュールが決定したとき、前記第１の色彩強度を目標として使用することによって、前記クリーニングが必要なアプリケーションの現在の空間解放進捗または全ての前記１または複数のアプリケーションの現在の空間解放進捗に応じて前記第１のアイコンの色彩強度を低減し、前記低減された第２の色彩強度に従って前記第１のアイコンを表示する第４の表示モジュールであって、前記低減された第２の色彩強度は、前記第１の色彩強度より低くない、第４の表示モジュールと
をさらに備える端末。
【請求項１２】
前記第１の表示モジュールは、第１の面積に従って前記デスクトップに前記第１のアイコンを表示し、
前記第２の表示モジュールは、前記第１のアプリケーションによって使用された前記記憶空間が、前記事前設定された記憶閾値より大きいと前記決定モジュールが決定したとき、第２の面積に従って前記デスクトップに前記第１のアイコンを表示し、前記第２の面積は、前記第１の面積より大きい、
請求項８または９に記載の端末。
【請求項１３】
前記第１の表示モジュールは、第１の色彩強度に従って前記デスクトップに前記第１のアイコンを表示し、
前記第２の表示モジュールは、第２の色彩強度に従って前記デスクトップに前記第１のアイコンを表示し、前記第２の色彩強度は、前記第１の色彩強度より高い、
請求項８または９に記載の端末。
【請求項１４】
前記事前設定されたクリーニング操作は、前記デスクトップの編集状態でユーザがアイコンを選択し、連続的に揺する操作である、請求項８から１３のいずれか一項に記載の端末。
【請求項１５】
ディスプレイおよび複数のアプリケーションプログラムを備える電子デバイスが、請求項１から７のいずれか一項に記載の方法を実行することを可能にするプログラムであって、前記ディスプレイは、表示画面を有する、プログラム。
【請求項１６】
電子デバイスによって実装されるグラフィカルユーザインタフェースであって、前記電子デバイスは、ディスプレイと、メモリと、複数のアプリケーションプログラムと、前記メモリに記憶された１または複数のプログラムを実行する１または複数のプロセッサとを備え、前記グラフィカルユーザインタフェースは、請求項１から７のいずれか一項に記載の方法を使用することによって表示されるユーザインタフェースを備え、ディスプレイは表示画面を有する、グラフィカルユーザインタフェース。
【請求項１７】
表示画面を有するディスプレイと、
１または複数のプロセッサと、
メモリと、
複数のアプリケーションプログラムと、
１または複数のプログラムとを備える電子機器であって、前記１または複数のプログラムは、前記メモリに記憶され、前記１または複数のプロセッサによって実行され、前記１または複数のプログラムは、請求項１から７のいずれか一項に記載の方法を実行するために使用される命令を有する、
電子機器。
【請求項１８】
電子デバイスにおいて使用される情報処理装置であって、前記電子デバイスは、ディスプレイおよび複数のアプリケーションプログラムを備え、前記情報処理装置は、
請求項１から７のいずれか一項に記載の方法を実行する装置を備え、前記ディスプレイは表示画面を有する、情報処理装置。
【発明の詳細な説明】
【技術分野】
【０００１】
本発明は、モバイルデバイスの分野に関し、具体的には、アプリケーション記憶空間を表示するための方法および端末に関する。
【背景技術】
【０００２】
人々の端末（携帯電話またはタブレットコンピュータなど）には多数のアプリケーションがインストールされる場合があり、クリーニングされる必要がある多数のキャッシュがアプリケーションの使用中に生成される。クリーニングされる必要があるキャッシュが過度に大きな記憶空間を占有するとき、端末の動作が影響を受ける。
【０００３】
現在、アプリケーションの記憶空間がクリーニングされるべきである場合、アプリケーションの設定インタフェースに入る必要があり、これにより、記憶空間クリーニングボタンを見つけ、記憶空間を手動でクリーニングする。
【０００４】
しかしながら、実際の応用において、記憶空間クリーニングボタンは概して、アプリケーションの設定インタフェースの比較的深いレベルに隠れている。この記憶空間クリーニング機能をユーザが見つけることは困難であり、アプリケーションの記憶空間がクリーニングされる必要があることをユーザが認識することは困難である。ゆえに、記憶空間が適時クリーニングされないのが原因で、しばしば端末の動作が影響を受ける。
【発明の概要】
【０００５】
本発明の実施形態が、アプリケーション記憶空間を表示するための方法および端末を提供する。これにより、ユーザが直感的にアプリケーション記憶空間の使用状態を知ることが可能になり、その結果、記憶空間は、端末の正常で効率的な動作を保証すべく適時クリーニングされ得る。
【０００６】
本発明の実施形態の第１態様が、アプリケーション記憶空間を表示するための方法を提供する。当該方法は、第１の表示モードでデスクトップに第１のアイコンを端末が表示する段階と、第１のアプリケーションによって使用された記憶空間が第１のアプリケーションの事前設定された記憶閾値より大きいか否かを端末が決定する段階であって、第１のアイコンは、１または複数のアプリケーションに対応し、第１のアプリケーションは、第１のアイコンに対応するアプリケーションのいずれか１つである、段階と、第１のアプリケーションによって使用された記憶空間が、事前設定された記憶閾値より大きいと決定したとき、事前設定された表示モードで第１のアイコンを端末が表示する段階であって、事前設定された表示モードは、第１の表示モードとは異なる、段階とを備える。
【０００７】
本発明の実施形態の第１態様に関連して、本発明の実施形態の第１態様の第１の実装方式において、第１の表示モードでデスクトップに第１のアイコンを端末が表示する段階は具体的に、第１の面積に従ってデスクトップに第１のアイコンを端末が表示する段階を有し、事前設定された表示モードで第１のアイコンを端末が表示する段階は具体的に、第２の面積に従ってデスクトップに第１のアイコンを端末が表示する段階であって、第２の面積は、第１の面積より大きい、段階を有する。
【０００８】
本発明の実施形態の第１態様に関連して、本発明の実施形態の第１態様の第２の実装方式において、第１の表示モードでデスクトップに第１のアイコンを端末が表示する段階は具体的に、第１の色彩強度に従ってデスクトップに第１のアイコンを端末が表示する段階を有し、事前設定された表示モードで第１のアイコンを端末が表示する段階は具体的に、第２の色彩強度に従ってデスクトップに第１のアイコンを端末が表示する段階であって、第２の色彩強度は、第１の色彩強度より高い、段階を有する。
【０００９】
本発明の実施形態の第１態様に関連して、本発明の実施形態の第１態様の第３の実装方式において、事前設定された表示モードで第１のアイコンを端末が表示する段階の後、当該方法はさらに、第１のアイコンに対して実行される第１の操作を端末が検出する段階と、第１の操作が、事前設定されたクリーニング操作と一致するとき、クリーニングが必要なアプリケーションの記憶空間または全てのアプリケーションの記憶空間を端末がクリーニングする段階であって、クリーニングが必要なアプリケーションは、事前設定された記憶閾値より大きい記憶空間を使用する、第１のアイコンに対応するアプリケーションの中の一アプリケーションを指し、全てのアプリケーションは、第１のアイコンに対応する全てのアプリケーションを指す、段階とを備える。
【００１０】
本発明の実施形態の第１態様の第１の実装方式に関連して、本発明の実施形態の第１態様の第４の実装方式において、第２の面積に従ってデスクトップに第１のアイコンを端末が表示する段階の後、当該方法はさらに、第１のアイコンに対して実行される第１の操作を端末が検出する段階と、第１の操作が、事前設定されたクリーニング操作と一致するとき、クリーニングが必要なアプリケーションの記憶空間または全てのアプリケーションの記憶空間を解放し、クリーニングが必要なアプリケーションの空間解放進捗または全てのアプリケーションの空間解放進捗をリアルタイムでデスクトップに表示する段階であって、クリーニングが必要なアプリケーションは、事前設定された記憶閾値より大きい記憶空間を使用する、第１のアイコンに対応するアプリケーションの中の一アプリケーションを指し、全てのアプリケーションは、第１のアイコンに対応する全てのアプリケーションを指す、段階と、第１のアイコンに対して操作を実行することをユーザが停止したと決定したとき、第１の面積を目標として使用することによって、クリーニングが必要なアプリケーションの現在の空間解放進捗または全てのアプリケーションの現在の空間解放進捗に応じて第１のアイコンの面積を端末が低減し、低減の後に取得される第３の面積に従って第１のアイコンを表示する段階であって、第３の面積は、第１の面積より小さくない、段階とを備える。
【００１１】
本発明の実施形態の第１態様の第２の実装方式に関連して、本発明の実施形態の第１態様の第５の実装方式において、第２の色彩強度に従ってデスクトップに第１のアイコンを端末が表示する段階の後、当該方法はさらに、第１のアイコンに対して実行される第１の操作を端末が検出する段階と、第１の操作が、事前設定されたクリーニング操作と一致するとき、クリーニングが必要なアプリケーションの記憶空間または全てのアプリケーションの記憶空間を解放し、クリーニングが必要なアプリケーションの空間解放進捗または全てのアプリケーションの空間解放進捗をリアルタイムでデスクトップに表示する段階であって、クリーニングが必要なアプリケーションは、事前設定された記憶閾値より大きい記憶空間を使用する、第１のアイコンに対応するアプリケーションの中の一アプリケーションを指し、全てのアプリケーションは、第１のアイコンに対応する全てのアプリケーションを指す、段階と、第１のアイコンに対して操作を実行することをユーザが停止したと決定したとき、第１の色彩強度を目標として使用することによって、クリーニングが必要なアプリケーションの現在の空間解放進捗または全てのアプリケーションの現在の空間解放進捗に応じて第１のアイコンの色彩強度を端末が低減し、低減された第２の色彩強度に従って第１のアイコンを表示する段階であって、低減された第２の色彩強度は、第１の色彩強度より低くない、段階とを備える。
【００１２】
本発明の実施形態の第１態様の第３の実装方式から第５の実装方式のいずれか１つに関連して、本発明の実施形態の第１態様の第６の実装方式において、事前設定されたクリーニング操作は、デスクトップの編集状態でユーザがアイコンを選択し、連続的に揺する操作である。
【００１３】
本発明の実施形態の第２態様が、端末を提供する。当該端末は、第１の表示モードでデスクトップに第１のアイコンを表示するよう構成される第１の表示モジュールと、第１のアプリケーションによって使用された記憶空間が第１のアプリケーションの事前設定された記憶閾値より大きいか否かを決定するよう構成される決定モジュールであって、第１のアイコンは、１または複数のアプリケーションに対応し、第１のアプリケーションは、第１のアイコンに対応するアプリケーションのいずれか１つである、決定モジュールと、第１のアプリケーションによって使用された記憶空間が、事前設定された記憶閾値より大きいと決定モジュールが決定したとき、事前設定された表示モードで第１のアイコンを表示するよう構成される第２の表示モジュールであって、事前設定された表示モードは、第１の表示モードとは異なる、決定モジュールとを備える。
【００１４】
本発明の実施形態の第２態様に関連して、本発明の実施形態の第２態様の第１の実装方式において、第１の表示モジュールは具体的に、第１の面積に従ってデスクトップに第１のアイコンを表示するよう構成され、第２の表示モジュールは具体的に、第１のアプリケーションによって使用された記憶空間が、事前設定された記憶閾値より大きいと決定モジュールが決定したとき、第２の面積に従ってデスクトップに第１のアイコンを表示するよう構成され、第２の面積は、第１の面積より大きい。
【００１５】
本発明の実施形態の第２態様に関連して、本発明の実施形態の第２態様の第２の実装方式において、第１の表示モジュールは具体的に、第１の色彩強度に従ってデスクトップに第１のアイコンを表示するよう構成され、第２の表示モジュールは具体的に、第２の色彩強度に従ってデスクトップに第１のアイコンを表示するよう構成され、第２の色彩強度は、第１の色彩強度より高い。
【００１６】
本発明の実施形態の第２態様に関連して、本発明の実施形態の第２態様の第３の実装方式において、当該端末はさらに、第１のアイコンに対して実行される第１の操作を検出するよう構成される検出モジュールと、検出モジュールによって検出された第１の操作が、事前設定されたクリーニング操作と一致するとき、クリーニングが必要なアプリケーションの記憶空間をクリーニングするよう構成される第１のクリーニングモジュールであって、クリーニングが必要なアプリケーションは、事前設定された記憶閾値より大きい記憶空間を使用する、第１のアイコンに対応するアプリケーションの中の一アプリケーションを指す、第１のクリーニングモジュールか、または、検出モジュールによって検出された第１の操作が、事前設定されたクリーニング操作と一致するとき、全てのアプリケーションの記憶空間をクリーニングするよう構成される第２のクリーニングモジュールであって、クリーニングが必要なアプリケーションは、事前設定された記憶閾値より大きい記憶空間を使用する、第１のアイコンに対応するアプリケーションの中の一アプリケーションを指し、全てのアプリケーションは、第１のアイコンに対応する全てのアプリケーションを指す、第２のクリーニングモジュールと備える。
【００１７】
本発明の実施形態の第２態様の第１の実装方式に関連して、本発明の実施形態の第２態様の第４の実装方式において、当該端末はさらに、第１のアイコンに対して実行される第１の操作を検出するよう構成される検出モジュールと、検出モジュールによって検出された第１の操作が、事前設定されたクリーニング操作と一致するとき、クリーニングが必要なアプリケーションの記憶空間または全てのアプリケーションの記憶空間を解放し、クリーニングが必要なアプリケーションの空間解放進捗または全てのアプリケーション空間解放進捗をリアルタイムでデスクトップに表示するよう構成される第１の解放モジュールであって、クリーニングが必要なアプリケーションは、事前設定された記憶閾値より大きい記憶空間を使用する、第１のアイコンに対応するアプリケーションの中の一アプリケーションを指し、全てのアプリケーションは、第１のアイコンに対応する全てのアプリケーションを指す、第１の解放モジュールと、第１のアイコンに対して操作を実行することをユーザが停止したと検出モジュールが決定したとき、第１の面積を目標として使用することによって、クリーニングが必要なアプリケーションの現在の空間解放進捗または全てのアプリケーションの現在の空間解放進捗に応じて第１のアイコンの面積を低減し、低減の後に取得される第３の面積に従って第１のアイコンを表示するよう構成される第３の表示モジュールであって、第３の面積は、第１の面積より小さくない、第３の表示モジュールとを備える。
【００１８】
本発明の実施形態の第２態様の第２の実装方式に関連して、本発明の実施形態の第２態様の第５の実装方式において、当該端末はさらに、第１のアイコンに対して実行される第１の操作を検出するよう構成される検出モジュールと、検出モジュールによって検出された第１の操作が、事前設定されたクリーニング操作と一致するとき、クリーニングが必要なアプリケーションの記憶空間または全てのアプリケーションの記憶空間を解放し、クリーニングが必要なアプリケーションの空間解放進捗または全てのアプリケーションの空間解放進捗をリアルタイムでデスクトップに表示するよう構成される第２の解放モジュールであって、クリーニングが必要なアプリケーションは、事前設定された記憶閾値より大きい記憶空間を使用する、第１のアイコンに対応するアプリケーションの中の一アプリケーションを指し、全てのアプリケーションは、第１のアイコンに対応する全てのアプリケーションを指す、第２の解放モジュールと、第１のアイコンに対して操作を実行することをユーザが停止したと検出モジュールが決定したとき、第１の色彩強度を目標として使用することによって、クリーニングが必要なアプリケーションの現在の空間解放進捗または全てのアプリケーションの現在の空間解放進捗に応じて第１のアイコンの色彩強度を低減し、低減された第２の色彩強度に従って第１のアイコンを表示するよう構成される第４の表示モジュールであって、低減された第２の色彩強度は、第１の色彩強度より低くない、第４の表示モジュールとを備える。
【００１９】
本発明の実施形態の第２態様の第３の実装方式から第５の実装方式のいずれか１つに関連して、本発明の実施形態の第２態様の第６の実装方式において、事前設定されたクリーニング操作は、デスクトップの編集状態でユーザがアイコンを選択し連続的に揺する操作である。
【００２０】
本発明の実施形態の第３態様が、端末を提供する。当該端末は、表示画面、プロセッサ、メモリ、および入力装置を備え、表示画面は、端末とユーザとの間の出力インタフェースとして使用され、ユーザに対して視覚的出力を表示し、入力装置は、ユーザの操作を受け取るよう構成され、プロセッサは、メモリに記憶された操作命令を呼び出すことによって、第１の表示モードでデスクトップに第１のアイコンを表示するよう表示画面に命令する段階と、第１のアプリケーションによって使用された記憶空間が第１のアプリケーションの事前設定された記憶閾値より大きいか否かを決定する段階であって、第１のアイコンは、１または複数のアプリケーションに対応し、第１のアプリケーションは、第１のアイコンに対応するアプリケーションのいずれか１つである、段階と、第１のアプリケーションによって使用された記憶空間が、事前設定された記憶閾値より大きいと決定したとき、事前設定された表示モードで第１のアイコンを表示するよう表示画面に命令する段階であって、事前設定された表示モードは、第１の表示モードとは異なる、段階を実行するよう構成される。
【００２１】
本発明の実施形態の第３態様に関連して、本発明の実施形態の第３態様の第１の実装方式において、第１の表示モードでデスクトップに第１のアイコンを表示するよう表示画面に命令する段階を実行するとき、プロセッサは具体的に、第１の面積に従ってデスクトップに第１のアイコンを表示するよう表示画面に命令する段階を実行し、事前設定された表示モードで第１のアイコンを表示するよう表示画面に命令する段階を実行するとき、プロセッサは具体的に、第２の面積に従ってデスクトップに第１のアイコンを表示するよう表示画面に命令する段階であって、第２の面積は、第１の面積より大きい、段階を実行する。
【００２２】
本発明の実施形態の第３態様に関連して、本発明の実施形態の第３態様の第２の実装方式において、第１の表示モードでデスクトップに第１のアイコンを表示するよう表示画面に命令する段階を実行するとき、プロセッサは具体的に、第１の色彩強度に従ってデスクトップに第１のアイコンを表示するよう表示画面に命令する段階を実行し、事前設定された表示モードで第１のアイコンを表示するよう表示画面に命令する段階を実行するとき、プロセッサは具体的に、第２の色彩強度に従ってデスクトップに第１のアイコンを表示するよう表示画面に命令する段階であって、第２の色彩強度は、第１の色彩強度より高い、段階を実行する。
【００２３】
本発明の実施形態の第３態様に関連して、本発明の実施形態の第３態様の第３の実装方式において、プロセッサはさらに、第１のアイコンに対してユーザによって実行され、入力装置によって受け取られる第１の操作を検出する段階と、検出された第１の操作が、事前設定されたクリーニング操作と一致するとき、クリーニングが必要なアプリケーションの記憶空間または全てのアプリケーションの記憶空間をクリーニングする段階であって、クリーニングが必要なアプリケーションは、事前設定された記憶閾値より大きい記憶空間を使用する、第１のアイコンに対応するアプリケーションの中の一アプリケーションを指し、全てのアプリケーションは、第１のアイコンに対応する全てのアプリケーションを指す、段階とを実行するよう構成される。
【００２４】
本発明の実施形態の第３態様の第１の実装方式に関連して、本発明の実施形態の第３態様の第４の実装方式において、プロセッサはさらに、第１のアイコンに対してユーザによって実行され、入力装置によって受け取られる第１の操作を検出する段階と、検出された第１の操作が、事前設定されたクリーニング操作と一致するとき、クリーニングが必要なアプリケーションの記憶空間または全てのアプリケーションの記憶空間を解放し、クリーニングが必要なアプリケーションの空間解放進捗または全てのアプリケーションの空間解放進捗をリアルタイムでデスクトップに表示するよう表示画面に命令する段階であって、クリーニングが必要なアプリケーションは、事前設定された記憶閾値より大きい記憶空間を使用する、第１のアイコンに対応するアプリケーションの中の一アプリケーションを指し、全てのアプリケーションは、第１のアイコンに対応する全てのアプリケーションを指す、段階と、第１のアイコンに対して操作を実行することをユーザが停止したと決定したとき、第１の面積を目標として使用することによって、クリーニングが必要なアプリケーションの現在の空間解放進捗または全てのアプリケーションの現在の空間解放進捗に応じて第１のアイコンの面積を低減し、低減の後に取得される第３の面積に従って第１のアイコンを表示するよう表示画面に命令する段階であって、第３の面積は、第１の面積より小さくない、段階とを実行するよう構成される。
【００２５】
本発明の実施形態の第３態様の第２の実装方式に関連して、本発明の実施形態の第３態様の第５の実装方式において、プロセッサはさらに、第１のアイコンに対してユーザによって実行され、入力装置によって受け取られる第１の操作を検出する段階と、検出された第１の操作が、事前設定されたクリーニング操作と一致するとき、クリーニングが必要なアプリケーションの記憶空間または全てのアプリケーションの記憶空間を解放し、クリーニングが必要なアプリケーションの空間解放進捗または全てのアプリケーションの空間解放進捗をリアルタイムでデスクトップに表示するよう表示画面に命令する段階であって、クリーニングが必要なアプリケーションは、事前設定された記憶閾値より大きい記憶空間を使用する、第１のアイコンに対応するアプリケーションの中の一アプリケーションを指し、全てのアプリケーションは、第１のアイコンに対応する全てのアプリケーションを指す、段階と、第１のアイコンに対して操作を実行することをユーザが停止したと決定したとき、第１の色彩強度を目標として使用することによって、クリーニングが必要なアプリケーションの現在の空間解放進捗または全てのアプリケーションの現在の空間解放進捗に応じて第１のアイコンの色彩強度を低減し、低減された第２の色彩強度に従って第１のアイコンを表示するよう表示画面に命令する段階であって、低減された第２の色彩強度は、第１の色彩強度より低くない、段階とを実行するよう構成される。
【００２６】
本発明の実施形態の第３態様の第３の実装方式から第５の実装方式のいずれか１つに関連して、本発明の実施形態の第３態様の第６の実装方式において、事前設定されたクリーニング操作は、デスクトップの編集状態でユーザがアイコンを選択し連続的に揺する操作である。
【００２７】
本発明の実施形態の第４態様が、端末デバイス上のグラフィカルユーザインタフェースを提供する。端末デバイスは、表示画面と、メモリと、複数のアプリケーションプログラムと、メモリに記憶された１または複数のプログラムを実行するよう構成される１または複数のプロセッサとを備え、グラフィカルユーザインタフェースは、アプリケーションインタフェース要素を表示するために使用されるインタフェースを備え、アプリケーションインタフェース要素を表示するために使用されるインタフェースは、第１の表示モードで表示画面に、１または複数のアプリケーションプログラムに対応する第１のアイコンを表示することと、第１のアイコンに対応するアプリケーションプログラムのいずれか１つである第１のアプリケーションによって使用された記憶空間が、事前設定された記憶閾値より大きいと検出したことに応答して、第１の表示モードとは異なる事前設定された表示モードで第１のアイコンを表示することとを備える。
【００２８】
本発明の実施形態の第４態様に関連して、本発明の実施形態の第４態様の第１の実装方式において、第１の表示モードで表示画面に第１のアイコンを表示することは具体的に、第１の面積に従って端末デバイスのデスクトップに第１のアイコンを表示することを有し、事前設定された表示モードで第１のアイコンを表示することは具体的に、第１の面積より大きい第２の面積に従ってデスクトップに第１のアイコンを表示することを有する。
【００２９】
本発明の実施形態の第４態様に関連して、本発明の実施形態の第４態様の第２の実装方式において、第１の表示モードで表示画面に第１のアイコンを表示することは具体的に、第１の色彩強度に従って端末デバイスのデスクトップに第１のアイコンを表示することを有し、事前設定された表示モードで第１のアイコンを表示することは具体的に、第１の色彩強度より高い第２の色彩強度に従ってデスクトップに第１のアイコンを表示することを有する。
【００３０】
本発明の実施形態の第４態様の第１の実装方式に関連して、本発明の実施形態の第４態様の第３の実装方式において、第２の面積に従ってデスクトップに第１のアイコンを表示する段階の後、アプリケーションインタフェース要素を表示するために使用されるインタフェースはさらに、第１のアイコンに対して実行される第１の操作が、事前設定されたクリーニング操作と一致すると検出したことに応答して、事前設定された記憶閾値より大きい記憶空間を使用する、第１のアイコンに対応するアプリケーションの中の一アプリケーションを指す、クリーニングが必要なアプリケーションの空間解放進捗、または第１のアイコンに対応する全てのアプリケーションを指す全てのアプリケーションの空間解放進捗を、リアルタイムでデスクトップに表示することと、第１の操作が停止されたと検出したことに応答して、第１の面積を目標として使用することによって、クリーニングが必要なアプリケーションの現在の空間解放進捗または全てのアプリケーションの現在の空間解放進捗に応じて第１のアイコンの面積を低減し、低減の後に取得される、第１の面積より小さくない第３の面積に従って第１のアイコンを表示することとを備える。
【００３１】
本発明の実施形態の第４態様の第２の実装方式に関連して、本発明の実施形態の第４態様の第４の実装方式において、第２の色彩強度に従ってデスクトップに第１のアイコンを表示する段階の後、アプリケーションインタフェース要素を表示するために使用されるインタフェースはさらに、第１のアイコンに対して実行される第１の操作が、事前設定されたクリーニング操作と一致すると検出したことに応答して、事前設定された記憶閾値より大きい記憶空間を使用する、第１のアイコンに対応するアプリケーションの中の一アプリケーションを指す、クリーニングが必要なアプリケーションの空間解放進捗、または第１のアイコンに対応する全てのアプリケーションを指す全てのアプリケーションの空間解放進捗を、リアルタイムでデスクトップに表示することと、第１の操作が停止されたと検出したことに応答して、第１の色彩強度を目標として使用することによって、クリーニングが必要なアプリケーションの現在の空間解放進捗または全てのアプリケーションの現在の空間解放進捗に応じて第１のアイコンの色彩強度を低減し、第１の色彩強度より低くない、低減された第２の色彩強度に従って、第１のアイコンを表示することとを備える。
【００３２】
本発明の実施形態の第５態様が、１または複数のプログラムを記憶するコンピュータ可読記憶媒体を提供する。当該１または複数のプログラムは命令を含み、ディスプレイおよび複数のアプリケーションプログラムを備える電子デバイスが命令を実行するとき、電子デバイスは、請求項１から７に記載の方法を実行することを可能にされ、ディスプレイは表示画面を有する。
【００３３】
本発明の実施形態の第６態様が、ディスプレイおよび複数のアプリケーションプログラムを備える電子デバイスにおいて使用される情報処理装置を提供する。ディスプレイは表示画面を有し、情報処理装置は、第１の表示モードで表示画面に第１のアイコンを表示するよう構成される装置と、第１のアプリケーションによって使用された記憶空間が第１のアプリケーションの事前設定された記憶閾値より大きいか否かを決定するよう構成される装置であって、第１のアイコンは、１または複数のアプリケーションに対応し、第１のアプリケーションは、第１のアイコンに対応するアプリケーションのいずれか１つである、装置と、第１のアプリケーションによって使用された記憶空間が、事前設定された記憶閾値より大きいと決定されたとき、事前設定された表示モードで第１のアイコンを表示するよう構成される装置であって、事前設定された表示モードは、第１の表示モードとは異なる、装置とを備える。
【００３４】
本発明の実施形態の第６態様に関連して、本発明の実施形態の第６態様の第１の実装方式において、第１の表示モードで表示画面に第１のアイコンを表示するよう構成される装置は具体的に、第１の面積に従って表示画面のデスクトップ表示インタフェースに第１のアイコンを表示するよう構成される装置であり、事前設定された表示モードで第１のアイコンを表示するよう構成される装置は具体的に、第２の面積に従ってデスクトップに第１のアイコンを表示するよう構成される装置であって、第２の面積は、第１の面積より大きい、装置である。
【００３５】
本発明の実施形態の第６態様に関連して、本発明の実施形態の第６態様の第２の実装方式において、第１の表示モードで表示画面に第１のアイコンを表示するよう構成される装置は具体的に、第１の色彩強度に従って表示画面のデスクトップ表示インタフェースに第１のアイコンを表示するよう構成される装置であり、事前設定された表示モードで第１のアイコンを表示するよう構成される装置は具体的に、第２の色彩強度に従ってデスクトップに第１のアイコンを表示するよう構成される装置であって、第２の色彩強度は、第１の色彩強度より高い、装置である。
【００３６】
本発明の実施形態の第６態様に関連して、本発明の実施形態の第６態様の第３の実装方式において、情報処理装置はさらに、第１のアイコンに対して実行される第１の操作を検出するよう構成される装置と、第１の操作が、事前設定されたクリーニング操作と一致するとき、クリーニングが必要なアプリケーションの記憶空間または全てのアプリケーションの記憶空間をクリーニングするよう構成される装置であって、クリーニングが必要なアプリケーションは、事前設定された記憶閾値より大きい記憶空間を使用する、第１のアイコンに対応するアプリケーションの中の一アプリケーションを指し、全てのアプリケーションは、第１のアイコンに対応する全てのアプリケーションを指す、装置とを備える。
【００３７】
本発明の実施形態の第６態様の第１の実装方式に関連して、本発明の実施形態の第６態様の第４の実装方式において、情報処理装置はさらに、第１のアイコンに対して実行される第１の操作を検出するよう構成される装置と、第１の操作が、事前設定されたクリーニング操作と一致するとき、クリーニングが必要なアプリケーションの記憶空間または全てのアプリケーションの記憶空間を解放し、クリーニングが必要なアプリケーションの空間解放進捗または全てのアプリケーションの空間解放進捗をリアルタイムでデスクトップに表示するよう構成される装置であって、クリーニングが必要なアプリケーションは、事前設定された記憶閾値より大きい記憶空間を使用する、第１のアイコンに対応するアプリケーションの中の一アプリケーションを指し、全てのアプリケーションは、第１のアイコンに対応する全てのアプリケーションを指す、装置と、第１のアイコンに対して操作を実行することをユーザが停止したと決定されたとき、第１の面積を目標として使用することによって、クリーニングが必要なアプリケーションの現在の空間解放進捗または全てのアプリケーションの現在の空間解放進捗に応じて第１のアイコンの面積を低減し、低減の後に取得される第３の面積に従って第１のアイコンを表示するよう構成される装置であって、第３の面積は、第１の面積より小さくない、装置とを備える。
【００３８】
本発明の実施形態の第６態様の第２の実装方式に関連して、本発明の実施形態の第６態様の第５の実装方式において、情報処理装置はさらに、第１のアイコンに対して実行される第１の操作を検出するよう構成される装置と、第１の操作が、事前設定されたクリーニング操作と一致するとき、クリーニングが必要なアプリケーションの記憶空間または全てのアプリケーションの記憶空間を解放し、クリーニングが必要なアプリケーションの空間解放進捗または全てのアプリケーションの空間解放進捗をリアルタイムでデスクトップに表示するよう構成される装置であって、クリーニングが必要なアプリケーションは、事前設定された記憶閾値より大きい記憶空間を使用する、第１のアイコンに対応するアプリケーションの中の一アプリケーションを指し、全てのアプリケーションは、第１のアイコンに対応する全てのアプリケーションを指す、装置と、第１のアイコンに対して操作を実行することをユーザが停止したと決定されたとき、第１の色彩強度を目標として使用することによって、クリーニングが必要なアプリケーションの現在の空間解放進捗または全てのアプリケーションの現在の空間解放進捗に応じて第１のアイコンの色彩強度を低減し、低減された第２の色彩強度に従って第１のアイコンを表示するよう構成される装置であって、低減された第２の色彩強度は、第１の色彩強度より低くない、装置とを備える。
【００３９】
本発明の実施形態の第７態様が、電子デバイス上のグラフィカルユーザインタフェースを提供する。電子デバイスは、ディスプレイ、メモリ、複数のアプリケーションプログラム、およびメモリに記憶された１または複数のプログラムを実行するよう構成される１または複数のプロセッサを備え、グラフィカルユーザインタフェースは、本発明の実施形態の第１態様から第１態様の第６の実装方式のいずれか１つに記載の方法を使用することによって表示されるユーザインタフェースを備え、ディスプレイは表示画面を有する。
【００４０】
本発明の実施形態の第８態様が、電子機器を提供する。当該電子機器は、表示画面を有するディスプレイと、１または複数のプロセッサと、メモリと、複数のアプリケーションプログラムと、１または複数のプログラムとを備え、１または複数のプログラムはメモリに記憶され、１または複数のプロセッサによって実行されるよう構成され、１または複数のプログラムは、本発明の実施形態の第１態様から第１態様の第６の実装方式のいずれか１つに記載の方法を実行するために使用される命令を有する。
【００４１】
本発明の実施形態の第９態様が、電子デバイスにおいて使用される情報処理装置を提供する。当該電子デバイスは、ディスプレイおよび複数のアプリケーションプログラムを備え、情報処理装置は、本発明の実施形態の第１態様から第１態様の第６の実装方式のいずれか１つに記載の方法を実行するよう構成される装置を備え、ディスプレイは表示画面を有する。
【００４２】
本発明の実施形態が以下の利点を有することが、先述の技術的解決手段から分かるであろう。本発明の実施形態において、端末がまず第１の表示モードでデスクトップに第１のアイコンを表示し、第１のアイコンに対応する第１のアプリケーションによって使用された記憶空間が、事前設定された記憶閾値より大きいと決定したとき、端末は、第１の表示モードとは異なる事前設定された表示モードで第１のアイコンを表示し、これにより、この場合の第１のアイコンの表示効果は、使用された記憶空間が、事前設定された記憶閾値より大きくないときに実現されるものとは異なる。このようにして、使用された記憶空間が事前設定された記憶閾値より大きいとき、すなわち、第１のアイコンに対応する第１のアプリケーションの記憶空間がクリーニングされる必要があるとき、第１のアイコンは、異なる表示モードでデスクトップに直接表示される。ユーザは、デスクトップのアイコンの表示の違いからアプリケーション記憶空間の使用状態を直感的に知ることができ、ユーザは、アプリケーションの記憶空間がクリーニングされる必要があることに気付かされる。ゆえに、事前設定された記憶閾値より大きい記憶空間を使用するアプリケーションの記憶空間が適時クリーニングされることが可能であり、これによって端末の正常で効率的な動作が保証され、端末のヒューマンコンピュータインタラクションインテリジェンスが向上する。
【図面の簡単な説明】
【００４３】
【図１】本発明の実施形態に係る、アプリケーション記憶空間を表示するための方法の概略フローチャートである。
【００４４】
【図２】本発明の実施形態に係る、アプリケーション記憶空間を表示するための方法の別の概略フローチャートである。
【００４５】
【図３】本発明の実施形態に係る、アプリケーション記憶空間を表示するための方法の別の概略フローチャートである。
【００４６】
【図４】本発明の実施形態に係る、アプリケーション記憶空間を表示するための方法の別の概略フローチャートである。
【００４７】
【図５】本発明の実施形態に係る、アプリケーション記憶空間を表示するための方法のインスタンスの概略図である。
【００４８】
【図６】本発明の実施形態に係る、アプリケーション記憶空間を表示するための方法の別のインスタンスの概略図である。
【００４９】
【図７】本発明の実施形態に係る、アプリケーション記憶空間を表示するための方法の別のインスタンスの概略図である。
【００５０】
【図８】本発明の実施形態に係る、アプリケーション記憶空間を表示するための方法の別のインスタンスの概略図である。
【００５１】
【図９】本発明の実施形態に係る、アプリケーション記憶空間を表示するための方法の別の概略フローチャートである。
【００５２】
【図１０】本発明の一実施形態に係る端末の概略構造図である。
【００５３】
【図１１】本発明の一実施形態に係る端末別の概略構造図である。
【００５４】
【図１２】本発明の一実施形態に係る端末の別の概略構造図である。
【００５５】
【図１３】本発明の一実施形態に係る端末の別の概略構造図である。
【００５６】
【図１４】本発明の一実施形態に係る端末の別の概略構造図である。
【００５７】
【図１５】本発明の一実施形態に係る端末の別の概略構造図である。
【００５８】
【図１６】本発明の一実施形態に係る端末の別の概略構造図である。
【発明を実施するための形態】
【００５９】
本発明の実施形態における添付図面に関連して、本発明の実施形態における技術的解決手段を以下で明確かつ完全に説明する。説明される実施形態が本発明の実施形態の全てではなく一部に過ぎないことは明らかである。創造的努力なく本発明の実施形態に基づいて当業者によって得られる他の全ての実施形態は、本発明の保護範囲に当然に含まれる。
【００６０】
図１を参照すると、本発明の実施形態におけるアプリケーション記憶空間を表示するための方法の一実施形態は、以下の段階を備える。
【００６１】
１０１．端末が、第１の表示モードでデスクトップに第１のアイコンを表示する。
【００６２】
この段階では、第１のアイコンは、デスクトップにおける単一のアプリケーションのアイコンであってよく、またはデスクトップにおける複数のアプリケーションアイコンを含むフォルダアイコンであってよい。このことは、ここでは限定されない。
【００６３】
１０２．端末が、第１のアプリケーションによって使用された記憶空間が第１のアプリケーションの事前設定された記憶閾値より大きいか否かを決定する。ここで、第１のアイコンは、１または複数のアプリケーションに対応し、第１のアプリケーションは、第１のアイコンに対応するアプリケーションのいずれか１つである。
【００６４】
この段階では、第１のアイコンは、１または複数のアプリケーションに対応する。第１のアイコンがデスクトップにおける単一のアプリケーションのアイコンである場合、第１のアプリケーションは、第１のアイコンに対応する唯一のアプリケーションである。第１のアイコンが、デスクトップにおける複数のアプリケーションアイコンを含むフォルダアイコンである場合、第１のアプリケーションは、第１のアイコンに対応するアプリケーションのいずれか１つを指す。
【００６５】
各アプリケーションは、各アプリケーションによって実装される機能および各アプリケーションの使用頻度などの要因に応じて、異なる事前設定されたクリーニング閾値を有してよいことに注意すべきである。事前設定されたクリーニング閾値は、製造者によって提供される推奨値であってよく、またはユーザによって自己規定されてよい。このことは、ここでは限定されない。もちろん、全てのアプリケーションに対して、１つの閾値が設定されてよい。すなわち、アプリケーションは、異なる閾値または同一の閾値に対応してよい。
【００６６】
段階１０１が実行されるとき、第１のアプリケーションによって使用された記憶空間は、第１のアプリケーションの事前設定された記憶閾値より大きくないことが理解され得る。端末の使用時間の増加および各アプリケーションの連続的な実行を受けて、端末は、第１のアプリケーションによって使用された記憶空間が第１のアプリケーションの事前設定された記憶閾値より大きいか否かを、一定の時間に／ポーリングによってまたは指定された中断条件を使用することによって決定してよい。第１のアプリケーションによって使用された記憶空間が第１のアプリケーションの事前設定された記憶閾値より大きくない場合、段階１０１が実行され続ける。第１のアプリケーションによって使用された記憶空間が第１のアプリケーションの事前設定された記憶閾値より大きい場合、段階１０３が実行されてよい。
【００６７】
１０３．第１のアプリケーションによって使用された記憶空間が、事前設定された記憶閾値より大きいと決定したとき、端末が、事前設定された表示モードで第１のアイコンを表示する。ここで、事前設定された表示モードは、第１の表示モードとは異なる。
【００６８】
この段階では、第１のアイコンが単一のアプリケーションのアイコンである場合、第１のアイコンが一意に対応する第１のアプリケーションによって使用された記憶空間が、事前設定された記憶閾値より大きいと決定したとき、端末は、第１の表示モードとは異なる事前設定された表示モードで第１のアイコンを表示する。第１のアイコンが複数のアプリケーションアイコンを含むフォルダアイコンである場合、第１のアイコンに対応する複数のアプリケーションのいずれか１つ（第１のアプリケーション）によって使用された記憶空間が、事前設定された記憶閾値より大きいと決定したとき、端末は、事前設定された表示モードで第１のアイコンを表示する。例えば、第１のアイコンは、第１の表示モードとは異なるアイコンサイズで表示され、第１のアイコンは、第１の表示モードが有さない影または別のパターンを追加することによって表示され、または、第１のアイコンは、第１の表示モードとは異なるアイコン色彩強度で表示される。
【００６９】
段階１０１から段階１０３は、端末の使用時間およびアプリケーション実行継続時間によって変化するプロセスであることが理解され得る。初期の状態では、第１のアプリケーションによって使用された記憶空間は比較的小さく、記憶空間はクリーニングされる必要はなく、端末は、第１のアプリケーションに対応する第１のアイコンを第１の表示モードで表示する。第１のアプリケーションの実行継続時間が増加するにつれ、使用される記憶空間は大きくなる。第１のアプリケーションによって使用された記憶空間が、事前設定された記憶閾値より大きいとき、第１のアプリケーションの記憶空間がクリーニングされる必要があることを示す。端末は、第１のアプリケーションに対応する第１のアイコンを事前設定された表示モードで表示し、これにより、その記憶空間がクリーニングされる必要がない別のアプリケーションに対応するアイコンと第１のアイコンを区別する。
【００７０】
本発明の本実施形態において、端末がまず第１の表示モードでデスクトップに第１のアイコンを表示し、第１のアイコンに対応する第１のアプリケーションによって使用された記憶空間が、事前設定された記憶閾値より大きいと決定したとき、端末は、第１の表示モードとは異なる事前設定された表示モードで第１のアイコンを表示し、これにより、この場合の第１のアイコンの表示効果は、使用された記憶空間が、事前設定された記憶閾値より大きくないときに実現されるものとは異なる。このようにして、使用された記憶空間が、事前設定された記憶閾値より大きいとき、すなわち、第１のアイコンに対応する第１のアプリケーションの記憶空間がクリーニングされる必要があるとき、第１のアイコンは、異なる表示モードでデスクトップに直接表示される。ユーザは、デスクトップのアイコンの表示の違いからアプリケーション記憶空間の使用状態を直感的に知ることができ、ユーザは、アプリケーションの記憶空間がクリーニングされる必要があることに気付かされる。ゆえに、事前設定された記憶閾値より大きい記憶空間を使用するアプリケーションの記憶空間が適時クリーニングされることが可能であり、これによって端末の正常で効率的な動作が保証され、端末のヒューマンコンピュータインタラクション性能が向上する。
【００７１】
実際の応用では、事前設定された表示モードで第１のアイコンを端末が表示した後、ユーザはさらに直接デスクトップの第１のアイコンに対して操作を実行してよく、これにより、第１のアプリケーションの記憶空間をクリーニングする。第１のアイコンが単一のアプリケーションのアイコンである場合、第１のアプリケーションの記憶空間は、直接クリーニングされてよいことが理解され得る。第１のアイコンが複数のアプリケーションアイコンを含むフォルダアイコンである場合、端末は、第１のアイコンに対応するアプリケーションの中のクリーニングが必要な一アプリケーションの記憶空間だけをクリーニングしてよく、または、第１のアイコンに対応する全てのアプリケーションの記憶空間をクリーニングしてよい。このことは、ここでは限定されない。これら２つのケースを使用することによって、本発明の本実施形態のアプリケーション記憶空間を表示するための方法を以下で説明する。
【００７２】
図２を参照すると、本発明の実施形態におけるアプリケーション記憶空間を表示するための方法の別の実施形態は、以下の段階を備える。
【００７３】
２０１．端末が、第１の表示モードでデスクトップに第１のアイコンを表示する。
【００７４】
２０２．端末が、第１のアプリケーションによって使用された記憶空間が第１のアプリケーションの事前設定された記憶閾値より大きいか否かを決定する。ここで、第１のアイコンは、１または複数のアプリケーションに対応し、第１のアプリケーションは、第１のアイコンに対応するアプリケーションのいずれか１つである。
【００７５】
２０３．第１のアプリケーションによって使用された記憶空間が、事前設定された記憶閾値より大きいと決定したとき、端末が、事前設定された表示モードで第１のアイコンを表示する。ここで、事前設定された表示モードは、第１の表示モードとは異なる。
【００７６】
段階２０１から段階２０３は、段階１０１から段階１０３と同様であり、ここでは詳細は説明しない。
【００７７】
２０４．端末が、第１のアイコンに対して実行される第１の操作を検出する。
【００７８】
端末は、第１の表示モードとは異なる事前設定された表示モードでデスクトップに第１のアイコンを表示する。第１のアイコンと別のアイコンとの違いを知った後、ユーザは、第１のアイコンに対応するアプリケーションの記憶空間がクリーニングされる必要があることを認識することができる。ユーザは、デスクトップの第１のアイコンに対して第１の操作を実行し、端末は、第１のアイコンに対して実行される第１の操作を検出する。
【００７９】
本明細書における第１の操作の対象はデスクトップの第１のアイコンであり、このことは、従来技術における、アプリケーションの設定インタフェースの比較的深いレベルの記憶空間クリーニングボタンに対して操作を実行することとは大きく異なることに注意すべきである。
【００８０】
２０５．第１の操作が、事前設定されたクリーニング操作と一致するとき、端末が、クリーニングが必要なアプリケーションの記憶空間をクリーニングする。ここで、クリーニングが必要なアプリケーションは、事前設定された記憶閾値より大きい記憶空間を使用する、第１のアイコンに対応するアプリケーションの中の一アプリケーションを指す。
【００８１】
この段階では、第１のアイコンに対して実行される第１の操作が、事前設定されたクリーニング操作と一致するとき、端末は、事前設定された記憶閾値より大きい記憶空間を使用する、第１のアイコンに対応するアプリケーションの中の一アプリケーションに対してクリーニングを実行する。第１のアイコンが単一のアプリケーションに対応するアイコンである場合、クリーニングが必要なアプリケーションは先述の第１のアプリケーションであることが理解され得る。第１のアイコンが複数のアプリケーションアイコンを含むフォルダアイコンである場合、クリーニングが必要なアプリケーションは、先述の第１のアプリケーションであってよく、または、事前設定された記憶閾値より大きい記憶空間を全てが使用する複数のアプリケーションであってよい。ここで、複数のアプリケーションは、先述の第１のアプリケーションを含む。
【００８２】
ユーザの実際の要求に応じて、事前設定されたクリーニング操作は、多くのタイプの操作に設定されてよく、工場出荷時のデフォルトであってよく、または、ユーザによって自己規定されてよいことが理解され得る。例えば、事前設定されたクリーニング操作は、デスクトップの編集状態でアイコンをタッチアンドホールドしてアイコンを連続的に揺する操作、アイコンのタッチアンドホールドを保つ操作、デスクトップの編集状態でアイコンをタッチアンドホールドして円を描く操作、アイコンを選択し、携帯電話を揺する操作、または、選択されたアイコンを保留し、アイコンを揺するもしくは携帯電話を揺する操作であってよい。このことは、ここでは限定されない。
【００８３】
本発明の本実施形態において、ユーザが直接デスクトップ上で第１のアイコンに対して操作を実行して、クリーニングが必要なアプリケーションの記憶空間をクリーニングでき、もはや記憶空間クリーニングボタンを求めてアプリケーションプログラムインタフェースの深いレベルを検索する必要はなく、これによってユーザ操作が簡単になり、ヒューマンコンピュータインタラクション性能が向上する。加えて、事前設定された記憶閾値より大きい記憶空間を使用する、第１のアイコンに対応するアプリケーションの中の対象の一アプリケーションに対してクリーニングが実行され、これによって端末の正常で効率的な動作が保証される。
【００８４】
図３を参照すると、本発明の実施形態におけるアプリケーション記憶空間を表示するための方法の別の実施形態は、以下の段階を備える。
【００８５】
３０１．端末が、第１の表示モードでデスクトップに第１のアイコンを表示する。
【００８６】
３０２．端末が、第１のアプリケーションによって使用された記憶空間が第１のアプリケーションの事前設定された記憶閾値より大きいか否かを決定する。ここで、第１のアイコンは、１または複数のアプリケーションに対応し、第１のアプリケーションは、第１のアイコンに対応するアプリケーションのいずれか１つである。
【００８７】
３０３．第１のアプリケーションによって使用された記憶空間が、事前設定された記憶閾値より大きいと決定したとき、端末が、事前設定された表示モードで第１のアイコンを表示する。ここで、事前設定された表示モードは、第１の表示モードとは異なる。
【００８８】
３０４．端末が、第１のアイコンに対して実行される第１の操作を検出する。
【００８９】
段階３０１から段階３０４は、段階２０１から段階２０４と同様であり、ここでは詳細は説明しない。
【００９０】
３０５．第１の操作が、事前設定されたクリーニング操作と一致するとき、端末が、全てのアプリケーションの記憶空間をクリーニングする。ここで、全てのアプリケーションは、第１のアイコンに対応する全てのアプリケーションを指す。
【００９１】
この段階では、第１のアイコンに対して実行される第１の操作が、事前設定されたクリーニング操作と一致するとき、第１のアイコンが、単一のアプリケーションのアイコンであるか、複数のアプリケーションアイコンを含むフォルダアイコンであるかにかかわらず、端末は、第１のアイコンに対応する全てのアプリケーションの記憶空間を直接クリーニングする。
【００９２】
本発明の本実施形態において、ユーザが直接デスクトップ上で第１のアイコンに対して操作を実行して全てのアプリケーションの記憶空間をクリーニングでき、もはや記憶空間クリーニングボタンを求めてアプリケーションプログラムインタフェースの深いレベルを検索する必要はなく、これによってユーザ操作が簡単になり、ヒューマンコンピュータインタラクション性能が向上する。加えて、第１のアイコンに対応する全てのアプリケーションの記憶空間は直接クリーニングされ、これによって、さらに、ユーザ操作が簡単になり、ヒューマンコンピュータインタラクション性能が向上する。
【００９３】
先述の実施形態において、端末は、第１の表示モードとは異なる事前設定された表示モードで第１のアイコンを表示する。実際の応用では、第１の表示モードおよび事前設定された表示モードの両方について多くのタイプがあってよい。加えて、記憶空間クリーニングは特定の時間を要するので、事前設定されたクリーニング操作は連続的な操作である必要がある。アプリケーションの記憶空間をクリーニングするとき、端末は、進捗バー、進捗円グラフ（完了部分の色彩強度が未完部分より高い）、または同様のものを使用することによってリアルタイムで空間解放進捗を表示してよく、連続的な操作が中断された場合、記憶空間解放も同時に中断される。あるいは、クリーニング進捗は、異なる画像効果を使用することによってリアルタイムで表示されてよい。２つの異なる事前設定された表示モードを例として使用することによって、本発明の実施形態の、アプリケーション記憶空間を表示するための方法を以下で別々に詳述する。
【００９４】
図４を参照すると、本発明の実施形態におけるアプリケーション記憶空間を表示するための方法の別の実施形態は、以下の段階を備える。
【００９５】
４０１．端末が、第１の面積に従ってデスクトップに第１のアイコンを表示する。
【００９６】
第１の面積は、デフォルトで設定されたアイコン表示面積であってよい。
【００９７】
４０２．端末が、第１のアプリケーションによって使用された記憶空間が第１のアプリケーションの事前設定された記憶閾値より大きいか否かを決定する。ここで、第１のアイコンは、１または複数のアプリケーションに対応し、第１のアプリケーションは、第１のアイコンに対応するアプリケーションのいずれか１つである。
【００９８】
段階４０２は段階３０２と同様であり、ここでは詳細は説明しない。
【００９９】
４０３．第１のアプリケーションによって使用された記憶空間が、事前設定された記憶閾値より大きいと決定したとき、端末が、第２の面積に従ってデスクトップに第１のアイコンを表示する。ここで、第２の面積は、第１の面積より大きい。
【０１００】
この段階では、第１のアプリケーションによって使用された記憶空間が、事前設定された記憶閾値より大きいと決定したとき、端末は、第１の面積より大きい第２の面積に従ってデスクトップに第１のアイコンを表示する。
【０１０１】
アイコン表示面積が異なるので、デスクトップ上で、記憶空間がクリーニングされる必要があるアイコンは明らかに、記憶空間が当座はクリーニングされる必要がないアイコンと区別され得ることが理解され得る。
【０１０２】
具体的な第２の面積の値は、デスクトップのサイズおよび第１の面積のサイズに応じて設定されてよく、または、ユーザによって自己規定されてよい。このことは、ここでは限定されない。
【０１０３】
４０４．端末が、第１のアイコンに対して実行される第１の操作を検出する。
【０１０４】
段階４０４は段階３０４と同様であり、ここでは詳細は説明しない。
【０１０５】
４０５．第１の操作が、事前設定されたクリーニング操作と一致するとき、クリーニングが必要なアプリケーションの記憶空間または全てのアプリケーションの記憶空間を解放し、クリーニングが必要なアプリケーションの空間解放進捗または全てのアプリケーションの空間解放進捗をリアルタイムでデスクトップに表示する。ここで、クリーニングが必要なアプリケーションは、事前設定された記憶閾値より大きい記憶空間を使用する、第１のアイコンに対応するアプリケーションの中の一アプリケーションを指し、全てのアプリケーションは、第１のアイコンに対応する全てのアプリケーションを指す。
【０１０６】
この段階では、第１の操作が、事前設定されたクリーニング操作と一致するとき、端末の種々の工場出荷時のデフォルトまたはユーザ規定の設定に応じて、端末は、クリーニングが必要なアプリケーションの記憶空間または全てのアプリケーションの記憶空間を解放してよい。アプリケーションの記憶空間解放は、連続的なプロセスであり、特定の時間を要することが理解され得る。これに対応して、本実施形態において、事前設定されたクリーニング操作もまた連続的な操作であり、段階４０４および段階４０５は同時に実行される。第１のアイコンに対してユーザによって実行される第１の操作が、事前設定されたクリーニング操作に適合するとき、端末は、クリーニングが必要なアプリケーションの記憶空間または全てのアプリケーションの記憶空間を解放し、クリーニングが必要なアプリケーションの現在の空間解放進捗または全てのアプリケーションの現在の空間解放進捗をリアルタイムでデスクトップに表示する。
【０１０７】
第１のアイコンに対してユーザによって実行される第１の操作が中断された場合、端末は、クリーニングが必要なアプリケーションの記憶空間または全てのアプリケーションの記憶空間の解放を停止する。クリーニングが必要なアプリケーションは、事前設定された記憶閾値より大きい記憶空間を使用する、第１のアイコンに対応するアプリケーションの中の一アプリケーションを指し、全てのアプリケーションは、第１のアイコンに対応する全てのアプリケーションを指す。同一設定を有する操作中、端末は、クリーニングが必要なアプリケーションの記憶空間または全てのアプリケーションの記憶空間のうち１つだけを解放してよいことが理解され得る。
【０１０８】
４０６．第１のアイコンに対して操作を実行することをユーザが停止したと決定したとき、端末が、第１の面積を目標として使用することによって、クリーニングが必要なアプリケーションの現在の空間解放進捗または全てのアプリケーションの現在の空間解放進捗に応じて第１のアイコンの面積を低減し、低減の後に取得される第３の面積に従って第１のアイコンを表示する。ここで、第３の面積は、第１の面積より小さくない。
【０１０９】
ユーザが第１のアイコンに対して操作を実行するとき、端末は、ユーザの操作をリアルタイムで検出してよい。第１のアイコンに対して操作を実行することをユーザが停止した（例えば、事前設定されたクリーニング操作が、デスクトップの編集状態でユーザがアプリケーションのアイコンをタッチアンドホールドしてアイコンを連続的に揺する操作であるとき、ユーザは、第１のアイコンを揺することを停止し、編集状態から抜ける）と決定したとき、端末は、第１の面積を目標として使用することによって、クリーニングが必要なアプリケーションの現在の空間解放進捗または全てのアプリケーションの現在の空間解放進捗に応じて第１のアイコンの面積を低減し、低減の後に取得される第３の面積に従って第１のアイコンを表示する。ここで、第３の面積は第１の面積より小さくない。
【０１１０】
具体的には、第１の面積がＸであり、第２の面積がＹであり、この場合の解放の割合がｎである場合、端末は、アイコンの面積をＹ−ｎ×（Ｙ−Ｘ）に低減してよい。例えば、第１のアイコンはまず、第１の面積Ａに従ってデスクトップに表示される。第１のアイコンに対応する第１のアプリケーションが比較的長時間にわたって実行され、第１のアプリケーションによって使用された記憶空間が、事前設定されたクリーニング閾値より大きいとき、端末は、第１の面積Ａより大きい第２の面積１．５Ａに従ってデスクトップに第１のアイコンを表示する。ユーザは第１のアイコンに対して操作を実行して第１のアプリケーションの記憶空間を解放し、第１のアプリケーションの記憶空間の６０％が解放されたとき停止する。端末は、第１のアイコンの表示面積を、１．５Ａ−６０％×（１．５Ａ−Ａ）＝１．２Ａ（第３の面積）に低減する。
【０１１１】
本発明の本実施形態において、第１の面積に従って端末がデスクトップに第１のアイコンを表示する。第１のアイコンに対応する第１のアプリケーションによって使用された記憶空間が、事前設定されたクリーニング閾値より大きいとき、第１のアイコンは次に、第１の面積より大きい第２の面積に従って表示される。このようにして、ユーザは、デスクトップ上で、面積の違いから、その記憶空間がクリーニングされる必要があるアプリケーションに明確に気付かされる。加えて、ユーザがデスクトップ上でアイコンに対して、事前設定されたクリーニング操作に適合する連続的な操作を実行するとき、端末は、アイコンに対応するアプリケーションの記憶空間を解放し、リアルタイムで空間解放進捗を表示してよい。ユーザが操作を停止したとき、端末は、空間解放と同一の割合を使用することによってアイコンの増加された面積を低減してよく、これによって、ユーザが記憶空間をクリーニングする楽しみが大いに増し、端末のヒューマンコンピュータインタラクション性能が向上する。
【０１１２】
理解し易くするために、具体的な応用シナリオを使用することによって、本発明の本実施形態のアプリケーション記憶空間をクリーニングするための方法を以下で詳述する。
【０１１３】
端末のデスクトップにＡ、Ｂ、Ｃ、およびＤという４つのアプリケーションのアイコンがある。４つのアプリケーションによって使用された記憶空間と、４つのアプリケーションの事前設定されたクリーニング閾値とが以下の表１に列挙されていると仮定する。
【表１】
0006537207.tif 000002
【０１１４】
図５に示されるように、端末は、第１の面積９に従ってデスクトップに４つのアプリケーションＡ、Ｂ、Ｃ、およびＤのアイコンを表示する。
【０１１５】
端末がある期間動作した後、４つのアプリケーションによって使用された記憶空間および４つのアプリケーションの事前設定されたクリーニング閾値は、以下の表２に列挙されたものに変化する。
【表２】
0006537207.tif 000003
【０１１６】
端末の動作中、端末は、デスクトップの各アプリケーションによって使用された記憶空間が、対応する事前設定された記憶閾値より大きいか否かを継続的に（事前設定された時間サイクルに従って）決定してよい。
【０１１７】
図６に示されるように、端末は、アプリケーションＢによって使用された記憶空間がアプリケーションＢの事前設定されたクリーニング閾値より大きいと決定する。端末は、アプリケーションＢのアイコンを第２の面積１５に従って表示し、対応する事前設定されたクリーニング閾値より大きくない記憶空間を使用するその他のアプリケーションＡ、Ｃ、およびＤのアイコンを依然として第１の面積９に従って表示する。
【０１１８】
この場合、ユーザは、デスクトップの任意のアイコンをタッチアンドホールドしてデスクトップ編集モードに入り、アプリケーションＢのアイコンをタッチアンドホールドして当該アイコンを連続的に揺する。図７の黒色の点７０１は、画面上のユーザのタッチポイントを表し、矢印７０２は、アプリケーションＢのアイコンをタッチアンドホールドしてアイコンを左右に連続的に揺することを表す。
【０１１９】
端末は、アプリケーションＢのアイコンを連続的に揺するというユーザによって実行される操作を検出し、事前設定されたクリーニング操作は、編集状態でアプリケーションのアイコンを連続的に揺することであると決定する。端末は、ユーザによってアプリケーションＢのアイコンに対して実行される操作が、事前設定されたクリーニング操作と一致すると決定し、アプリケーションＢの記憶空間を解放し、図７に示される進捗バー７０３を使用することによって、アプリケーションＢの空間解放進捗をリアルタイムでデスクトップに表示する。
【０１２０】
ユーザがアプリケーションＢのアイコンを連続的に揺することを停止し、編集状態を抜けた場合、および、この場合のアプリケーションＢの空間解放進捗が５０％である場合、図８に示されるように、端末は、アプリケーションＢのアイコンの面積を１５−５０％×（１５−９）＝１２に低減する。図に示される８０１は、初めにアプリケーションＢのアイコンによって占有されていた面積であり、図に示される８０２は、低減後にアプリケーションＢのアイコンによって占有される面積である。
【０１２１】
ユーザが再度編集モードに入ってアプリケーションＢのアイコンを連続的に揺すった場合、端末は、再度アプリケーションＢの記憶空間を解放し、アプリケーションＢの空間解放進捗をリアルタイムでデスクトップに表示する。
【０１２２】
デスクトップに表示されるアプリケーションＢの空間解放進捗が今度は１００％に達するまで、ユーザがアプリケーションＢのアイコンを連続的に揺すった場合、ユーザがアプリケーションＢのアイコンを連続的に揺することを停止し、編集状態を抜けた後、図５に示されるように、端末は、アプリケーションＢのアイコンの面積を第１の面積９に低減する。第１の面積９は、その他のアプリケーションＡ、Ｃ、およびＤのアイコンがデスクトップ上で占有する各面積と同一である。
【０１２３】
先述の実施形態において、アイコンを区別するために種々の面積が使用される。別の事前設定された表示モードを例として使用することによって、本発明の実施形態のアプリケーション記憶空間を表示するための方法を以下で説明する。図９を参照すると、本発明の実施形態におけるアプリケーション記憶空間を表示するための方法の別の実施形態は、以下の段階を備える。
【０１２４】
９０１．端末が、第１の色彩強度に従ってデスクトップに第１のアイコンを表示する。
【０１２５】
第１の色彩強度は、デフォルトで設定されたアイコン表示の色彩強度であってよい。
【０１２６】
９０２．第１のアプリケーションによって使用された記憶空間が第１のアプリケーションの事前設定された記憶閾値より大きいか否かを端末が決定する。ここで、第１のアイコンは、１または複数のアプリケーションに対応し、第１のアプリケーションは、第１のアイコンに対応するアプリケーションのいずれか１つである。
【０１２７】
段階９０２は段階４０２と同様であり、ここでは詳細は説明しない。
【０１２８】
９０３．第１のアプリケーションによって使用された記憶空間が、事前設定された記憶閾値より大きいと決定したとき、端末が、第２の色彩強度に従ってデスクトップに第１のアイコンを表示する。ここで、第２の色彩強度は、第１の色彩強度より高い。
【０１２９】
この段階では、第１のアプリケーションによって使用された記憶空間が、事前設定された記憶閾値より大きいと決定したとき、端末は、第１の色彩強度より高い第２の色彩強度に従ってデスクトップに第１のアイコンを表示する。
【０１３０】
アイコン表示の色彩強度が異なるので、デスクトップ上で、記憶空間がクリーニングされる必要があるアイコンは明らかに、記憶空間が当座はクリーニングされる必要がないアイコンと区別され得ることが理解され得る。
【０１３１】
具体的な第２の色彩強度の値は、周囲の明るさおよび第１の色彩強度の大きさに応じて設定されてよく、または、ユーザによって自己規定されてよい。このことは、ここでは限定されない。
【０１３２】
９０４．端末が、第１のアイコンに対して実行される第１の操作を検出する。
【０１３３】
段階９０４は段階４０４と同様であり、ここでは詳述は説明しない。
【０１３４】
９０５．第１の操作が、事前設定されたクリーニング操作と一致するとき、クリーニングが必要なアプリケーションの記憶空間または全てのアプリケーションの記憶空間を解放し、クリーニングが必要なアプリケーションの空間解放進捗または全てのアプリケーションの空間解放進捗をリアルタイムでデスクトップに表示する。
【０１３５】
段階９０５は段階４０５と同様であり、ここでは詳述は説明しない。
【０１３６】
９０６．第１のアイコンに対して操作を実行することをユーザが停止したと決定したとき、端末が、第１の色彩強度を目標として使用することによって、クリーニングが必要なアプリケーションの現在の空間解放進捗または全てのアプリケーションの現在の空間解放進捗に応じて第１のアイコンの色彩強度を低減し、低減された第２の色彩強度に従って第１のアイコンを表示する。ここで、低減された第２の色彩強度は、第１の色彩強度より低くない。
【０１３７】
本発明の本実施形態において、端末が、第１の色彩強度（通常の色彩強度）に従ってデスクトップに第１のアイコンを表示する。第１のアイコンに対応する第１のアプリケーションによって使用された記憶空間が、事前設定されたクリーニング閾値より大きいとき、第１のアイコンは次に、第１の色彩強度より高い第２の色彩強度に従って表示される。このようにして、ユーザは、デスクトップ上で、その記憶空間がクリーニングされる必要があるアプリケーションに明確に気付かされる。加えて、ユーザがアプリケーションのアイコンに対して、連続的な操作をデスクトップ上で実行するとき、端末は、アプリケーションの記憶空間を解放し、リアルタイムで空間解放進捗を表示してよい。ここで、連続的な操作は、事前設定されたクリーニング操作に適合する。ユーザが操作を停止したとき、端末は、空間解放と同一の割合を使用することによってアイコンの色彩強度を低減してよく、これによって、ユーザが記憶空間をクリーニングする楽しみが大いに増し、端末のヒューマンコンピュータインタラクション性能が向上する。
【０１３８】
先述のものは、２つの事前設定された表示方式を例として使用することによって、本発明の実施形態のアプリケーション記憶空間を表示するための方法を別々に説明した。実際の応用では、例えば、色を追加して、フィルタを追加して、または画像をワープして、その記憶空間がクリーニングされる必要があるアプリケーションのアイコンと、その記憶空間が当座はクリーニングされる必要がないアプリケーションのアイコンとを区別して表示するために他の多数の方式が代替的に使用されてよい。このことは、ここでは限定されない。
【０１３９】
本発明の一実施形態の端末を以下で説明する。図１０を参照すると、本発明の本実施形態の端末の実施形態は、第１の表示モードでデスクトップに第１のアイコンを表示するよう構成される第１の表示モジュール１００１と、第１のアプリケーションによって使用された記憶空間が第１のアプリケーションの事前設定された記憶閾値より大きいか否かを決定するよう構成される決定モジュール１００２であって、第１のアイコンは、１または複数のアプリケーションに対応し、第１のアプリケーションは、第１のアイコンに対応するアプリケーションのいずれか１つである、第１の表示モジュール１００１と、第１のアプリケーションによって使用された記憶空間が、事前設定された記憶閾値より大きいと決定モジュール１００２が決定したとき、事前設定された表示モードで第１のアイコンを表示するよう構成される第２の表示モジュール１００３であって、事前設定された表示モードは、第１の表示モードとは異なる、第２の表示モジュール１００３とを備える。
【０１４０】
本発明の本実施形態において、第１の表示モジュール１００１がまず第１の表示モードでデスクトップに第１のアイコンを表示し、第１のアイコンに対応する第１のアプリケーションによって使用された記憶空間が、事前設定された記憶閾値より大きいと決定モジュール１００２が決定したとき、第２の表示モジュール１００３は、第１の表示モードとは異なる事前設定された表示モードで第１のアイコンを表示し、これにより、この場合の第１のアイコンの表示効果は、使用された記憶空間が、事前設定された記憶閾値より大きくないときに実現されるものとは異なる。このようにして、使用された記憶空間が、事前設定された記憶閾値より大きいとき、すなわち、第１のアイコンに対応する第１のアプリケーションの記憶空間がクリーニングされる必要があるとき、第１のアイコンは、異なる表示モードでデスクトップに直接表示される。ユーザは、デスクトップのアイコンの表示の違いからアプリケーション記憶空間の使用状態を直感的に知ることができ、ユーザは、アプリケーションの記憶空間がクリーニングされる必要があることに気付かされる。ゆえに、事前設定された記憶閾値より大きい記憶空間を使用するアプリケーションの記憶空間が適時クリーニングされることが可能であり、これによって端末の正常で効率的な動作が保証され、端末のヒューマンコンピュータインタラクション性能が向上する。
【０１４１】
実際の応用では、事前設定された表示モードで第１のアイコンを第１の表示モジュール１００１が表示した後、ユーザはさらに直接デスクトップの第１のアイコンに対して操作を実行してよく、これにより、第１のアプリケーションの記憶空間をクリーニングする。第１のアイコンが単一のアプリケーションのアイコンである場合、第１のアプリケーションの記憶空間は、直接クリーニングされてよいことが理解され得る。第１のアイコンが複数のアプリケーションアイコンを含むフォルダアイコンである場合、端末は、第１のアプリケーションの記憶空間だけをクリーニングしてよく、または、第１のアイコンに対応する全てのアプリケーションの記憶空間をクリーニングしてよい。このことは、ここでは限定されない。この２つのケースを使用することによって、本発明の本実施形態における端末を以下で説明する。
【０１４２】
図１１を参照すると、本発明の本実施形態における端末の別の実施形態において、図１０に示される端末はさらに、第１のアイコンに対して実行される第１の操作を検出するよう構成される検出モジュール１１０１と、検出モジュール１１０１によって検出された第１の操作が、事前設定されたクリーニング操作と一致するとき、クリーニングが必要なアプリケーションの記憶空間をクリーニングするよう構成される第１のクリーニングモジュール１１０２であって、クリーニングが必要なアプリケーションは、事前設定された記憶閾値より大きい記憶空間を使用する、第１のアイコンに対応するアプリケーションの中の一アプリケーションを指す、第１のクリーニングモジュール１１０２とを備えてよい。
【０１４３】
本発明の本実施形態において、ユーザは、デスクトップ上で直接第１のアイコンに対して操作を実行することができ、第１のクリーニングモジュール１１０２は、クリーニングが必要なアプリケーションの記憶空間をクリーニングする。ユーザはもはや、記憶空間クリーニングボタンを求めてアプリケーションプログラムインタフェースの深いレベルを検索する必要がなく、これによってユーザ操作が簡単になり、ヒューマンコンピュータインタラクション性能が向上する。加えて、事前設定された記憶閾値より大きい記憶空間を使用する、第１のアイコンに対応するアプリケーションの中の対象の一アプリケーションに対してクリーニングが実行され、これによって端末の正常で効率的な動作が保証される。
【０１４４】
図１２を参照すると、本発明の本実施形態における端末の別の実施形態において、図１０に示される端末はさらに、第１のアイコンに対して実行される第１の操作を検出するよう構成される検出モジュール１２０１と、検出モジュール１２０１によって検出された第１の操作が、事前設定されたクリーニング操作と一致するとき、全てのアプリケーションの記憶空間をクリーニングするよう構成される第２のクリーニングモジュール１２０２であって、全てのアプリケーションは、第１のアイコンに対応する全てのアプリケーションを指す、第２のクリーニングモジュール１２０２とを備えてよい。
【０１４５】
本発明の本実施形態において、ユーザは、デスクトップ上で直接第１のアイコンに対して操作を実行することができ、第２のクリーニングモジュール１２０２は、全てのアプリケーションの記憶空間をクリーニングする。ユーザはもはや、記憶空間クリーニングボタンを求めてアプリケーションプログラムインタフェースの深いレベルを検索する必要がなく、これによってユーザ操作が簡単になり、ヒューマンコンピュータインタラクション性能が向上する。加えて、第１のアイコンに対応する全てのアプリケーションの記憶空間は直接クリーニングされ、これによって、さらに、ユーザ操作が簡単になり、ヒューマンコンピュータインタラクション性能が向上する。
【０１４６】
先述の実施形態において、第２の表示モジュール１００３が、第１の表示モードとは異なる事前設定された表示モードで第１のアイコンを表示する。実際の応用では、第１の表示モードおよび事前設定された表示モードの両方について多くのタイプがあってよい。加えて、記憶空間クリーニングは特定の時間を要するので、事前設定されたクリーニング操作は連続的な操作である必要がある。アプリケーションの記憶空間をクリーニングするとき、端末は、リアルタイムで空間解放進捗を表示してよく、連続的な操作が中断された場合、同時に記憶空間解放もまた中断される。あるいは、クリーニング進捗は、異なる画像効果を使用することによってリアルタイムで表示されてよい。２つの異なる事前設定された表示モードを例として使用することによって、本発明の本実施形態における端末を以下で別々に詳述する。
【０１４７】
図１３を参照すると、本発明の本実施形態における端末の別の実施形態において、図１０に示される端末では、第１の表示モジュール１００１は具体的に、第１の面積に従ってデスクトップに第１のアイコンを表示するよう構成され、第１のアプリケーションによって使用された記憶空間が、事前設定された記憶閾値より大きいと決定モジュールが決定したとき、第２の表示モジュール１００３は具体的に、第２の面積に従ってデスクトップに第１のアイコンを表示するよう構成される。ここで、第２の面積は、第１の面積より大きい。
【０１４８】
任意選択で、端末はさらに、第１のアイコンに対して実行される第１の操作を検出するよう構成される検出モジュール１３０１と、検出モジュール１３０１によって検出された第１の操作が、事前設定されたクリーニング操作と一致するとき、クリーニングが必要なアプリケーションの記憶空間または全てのアプリケーションの記憶空間を解放し、クリーニングが必要なアプリケーションの空間解放進捗または全てのアプリケーションの空間解放進捗をリアルタイムでデスクトップに表示するよう構成される第１の解放モジュール１３０２であって、クリーニングが必要なアプリケーションは、事前設定された記憶閾値より大きい記憶空間を使用する、第１のアイコンに対応するアプリケーションの中の一アプリケーションを指し、全てのアプリケーションは、第１のアイコンに対応する全てのアプリケーションを指す、第１の解放モジュール１３０２と、第１のアイコンに対して操作を実行することをユーザが停止したと検出モジュール１３０１が決定したとき、第１の面積を目標として使用することによって、クリーニングが必要なアプリケーションの現在の空間解放進捗または全てのアプリケーションの現在の空間解放進捗に応じて第１のアイコンの面積を低減し、低減の後に取得される第３の面積に従って第１のアイコンを表示するよう構成される第３の表示モジュール１３０３であって、第３の面積は、第１の面積より小さくない、第３の表示モジュール１３０３とを備えてよい。
【０１４９】
本発明の本実施形態において、第１の表示モジュール１００１が、第１の面積に従ってデスクトップに第１のアイコンを表示し、第１のアイコンに対応する第１のアプリケーションによって使用された記憶空間が、事前設定されたクリーニング閾値より大きいとき、第２の表示モジュール１００３が次に、第１の面積より大きい第２の面積に従って第１のアイコンを表示する。このようにして、ユーザは、デスクトップ上で、面積の違いから、その記憶空間がクリーニングされる必要があるアプリケーションに明確に気付かされる。加えて、ユーザがアイコンに対して、事前設定されたクリーニング操作に適合する連続的な操作をデスクトップ上で実行したと検出モジュール１３０１が検出したとき、第１の解放モジュール１３０２は、アイコンに対応するアプリケーションの記憶空間を解放し、リアルタイムで空間解放進捗を表示してよい。ユーザが操作を停止したとき、第３の表示モジュール１３０３は、空間解放と同一の割合を使用することによってアイコンの増加された面積を低減してよく、これによって、ユーザが記憶空間をクリーニングする楽しみが大いに増し、端末のヒューマンコンピュータインタラクション性能が向上する。
【０１５０】
先述の実施形態を理解し易くするために、具体的な応用シナリオにおける先述の端末のモジュールのインタラクションプロセスを以下で説明する。
【０１５１】
端末のデスクトップにＡ、Ｂ、Ｃ、およびＤという４つのアプリケーションのアイコンがある。４つのアプリケーションによって使用された記憶空間と、４つのアプリケーションの事前設定されたクリーニング閾値とが先述の表１に示されていると仮定する。
【０１５２】
図５に示されるように、第１の表示モジュール１００１は、第１の面積９に従ってデスクトップに４つのアプリケーションＡ、Ｂ、Ｃ、およびＤのアイコンを表示する。
【０１５３】
端末がある期間動作した後、４つのアプリケーションによって使用された記憶空間および４つのアプリケーションの事前設定されたクリーニング閾値は、先述の表２に示されたものに変化する。
【０１５４】
端末の動作中、決定モジュール１００２は、デスクトップの各アプリケーションによって使用された記憶空間が、対応する事前設定された記憶閾値より大きいか否かを継続的に（事前設定された時間サイクルに従って）決定してよい。
【０１５５】
図６に示されるように、決定モジュール１００２は、アプリケーションＢによって使用された記憶空間がアプリケーションＢの事前設定されたクリーニング閾値より大きいと決定する。第２の表示モジュール１００３は、第２の面積１５に従ってアプリケーションＢのアイコンを表示し、第１の表示モジュール１００１は依然として、対応する事前設定されたクリーニング閾値より大きくない記憶空間を使用するその他のアプリケーションＡ、Ｃ、およびＤを第１の面積９に従って表示する。
【０１５６】
この場合、ユーザは、デスクトップの任意のアイコンをタッチアンドホールドしてデスクトップ編集モードに入り、アプリケーションＢのアイコンをタッチアンドホールドしてアイコンを連続的に揺する。図７の黒色の点７０１は、画面上のユーザのタッチポイントを表し、矢印７０２は、アプリケーションＢのアイコンをタッチアンドホールドしてアイコンを左右に連続的に揺することを表す。
【０１５７】
検出モジュール１３０１は、アプリケーションＢのアイコンを連続的に揺するというユーザによって実行される操作を検出し、事前設定されたクリーニング操作が、編集状態でアプリケーションのアイコンを連続的に揺することであると決定する。検出モジュール１３０１は、ユーザによってアプリケーションＢのアイコンに対して実行される操作が、事前設定されたクリーニング操作と一致すると決定する。第１の解放モジュール１３０２は、アプリケーションＢの記憶空間を解放し、図７の進捗バー７０３を使用することによって、アプリケーションＢの空間解放進捗をリアルタイムでデスクトップに表示する。
【０１５８】
ユーザがアプリケーションＢのアイコンを連続的に揺することを停止し、編集状態を抜けた場合、および、この場合のアプリケーションＢの空間解放進捗が５０％である場合、図８に示されるように、第３の表示モジュール１３０３は、アプリケーションＢのアイコンの面積を１５−５０％×（１５−９）＝１２に低減する。図に示される８０１は、初めにアプリケーションＢのアイコンによって占有されていた面積であり、図に示される８０２は、低減後にアプリケーションＢのアイコンによって占有される面積である。
【０１５９】
ユーザが再度編集モードに入ってアプリケーションＢのアイコンを連続的に揺すった場合、第１の解放モジュール１３０２は、再度アプリケーションＢの記憶空間を解放し、アプリケーションＢの空間解放進捗をリアルタイムでデスクトップに表示する。
【０１６０】
デスクトップに表示されるアプリケーションＢの空間解放進捗が今度は１００％に達するまで、ユーザがアプリケーションＢのアイコンを連続的に揺すった場合、ユーザがアプリケーションＢのアイコンを連続的に揺することを停止し、編集状態を抜けた後、図５に示されるように、第３の表示モジュール１３０３は、アプリケーションＢのアイコンを第１の面積９に低減する。第１の面積９は、その他のアプリケーションＡ、Ｃ、およびＤのアイコンがデスクトップ上で占有する各面積と同一である。
【０１６１】
図１４を参照すると、本発明の本実施形態における端末の別の実施形態において、図１０に示される端末では、第１の表示モジュール１００１は具体的に、第１の色彩強度に従ってデスクトップに第１のアイコンを表示するよう構成され、第１のアプリケーションによって使用された記憶空間が、事前設定された記憶閾値より大きいと決定モジュールが決定したとき、第２の表示モジュール１００３は具体的に、第２の色彩強度に従ってデスクトップに第１のアイコンを表示するよう構成され、ここで、第２の色彩強度は、第１の色彩強度より高い。
【０１６２】
任意選択で、端末はさらに、第１のアイコンに対して実行される第１の操作を検出するよう構成される検出モジュール１４０１と、検出モジュール１４０１によって検出された第１の操作が、事前設定されたクリーニング操作と一致するとき、クリーニングが必要なアプリケーションの記憶空間または全てのアプリケーションの記憶空間を解放し、クリーニングが必要なアプリケーションの空間解放進捗または全てのアプリケーションの空間解放進捗をリアルタイムでデスクトップに表示するよう構成される第２の解放モジュール１４０２であって、クリーニングが必要なアプリケーションは、事前設定された記憶閾値より大きい記憶空間を使用する、第１のアイコンに対応するアプリケーションの中の一アプリケーションを指し、全てのアプリケーションは、第１のアイコンに対応する全てのアプリケーションを指す、第２の解放モジュール１４０２と、第１のアイコンに対して操作を実行することをユーザが停止したと検出モジュール１４０１が決定したとき、第１の色彩強度を目標として使用することによって、クリーニングが必要なアプリケーションの現在の空間解放進捗または全てのアプリケーションの現在の空間解放進捗に応じて第１のアイコンの色彩強度を低減し、低減された第２の色彩強度に従って第１のアイコンを表示するよう構成される第４の表示モジュール１４０３であって、低減された第２の色彩強度は、第１の色彩強度より低くない、第４の表示モジュール１４０３とを備えてよい。
【０１６３】
本発明の本実施形態において、第１の表示モジュール１００１が、第１の色彩強度（通常の色彩強度）に従ってデスクトップに第１のアイコンを表示し、第１のアイコンに対応する第１のアプリケーションによって使用された記憶空間が、事前設定されたクリーニング閾値より大きいとき、第２の表示モジュール１００３は次に、第１の色彩強度より高い第２の色彩強度に従って第１のアイコンを表示する。このようにして、ユーザは、デスクトップ上で、その記憶空間がクリーニングされる必要があるアプリケーションに明確に気付かされる。加えて、ユーザがアプリケーションのアイコンに対して、事前設定されたクリーニング操作に適合する連続的な操作をデスクトップ上で実行するとき、第２の解放モジュール１４０２は、アプリケーションの記憶空間を解放し、リアルタイムで空間解放進捗を表示してよい。ユーザが操作を停止したとき、第４の表示モジュール１４０３は、空間解放と同一の割合を使用することによってアイコンの色彩強度を低減してよく、これによって、ユーザが記憶空間をクリーニングする楽しみが大いに増し、端末のヒューマンコンピュータインタラクション性能が向上する。
【０１６４】
図１５を参照すると、本発明の実施形態における端末の別の実施形態は、表示画面１５０１、プロセッサ１５０２、メモリ１５０３、および入力装置１５０４を備える。
【０１６５】
本発明のいくつかの実施形態において、表示画面１５０１、プロセッサ１５０２、入力装置１５０４、およびメモリ１５０３は、バスを使用することによって、または別の方式で接続されてよく、図１５では例として、バスを使用した接続が使用される。
【０１６６】
表示画面１５０１は、端末とユーザとの間の出力インタフェースとして使用され、ユーザに対して視覚的出力を表示する。
【０１６７】
入力装置１５０４は、ユーザの操作を受け取るよう構成される。
【０１６８】
プロセッサ１５０２は、メモリ１５０３に記憶された操作命令を呼び出すことによって、第１の表示モードでデスクトップに第１のアイコンを表示するよう表示画面１５０１に命令する段階と、第１のアプリケーションによって使用された記憶空間が第１のアプリケーションの事前設定された記憶閾値より大きいか否かを決定する段階であって、第１のアイコンは、１または複数のアプリケーションに対応し、第１のアプリケーションは、第１のアイコンに対応するアプリケーションのいずれか１つである、段階と、第１のアプリケーションによって使用された記憶空間が、事前設定された記憶閾値より大きいと決定したとき、事前設定された表示モードで第１のアイコンを表示するよう表示画面１５０１に命令する段階であって、事前設定された表示モードは、第１の表示モードとは異なる、段階とを実行するよう構成される。
【０１６９】
本発明のいくつかの実施形態において、第１の表示モードでデスクトップに第１のアイコンを表示するよう表示画面１５０１に命令する段階を実行するとき、プロセッサ１５０２は具体的に、第１の面積に従ってデスクトップに第１のアイコンを表示するよう表示画面１５０１に命令する段階を実行し、事前設定された表示モードで第１のアイコンを表示するよう表示画面１５０１に命令する段階を実行するとき、プロセッサ１５０２は具体的に、第２の面積に従ってデスクトップに第１のアイコンを表示するよう表示画面１５０１に命令する段階であって、第２の面積は、第１の面積より大きい、段階を実行する。
【０１７０】
本発明のいくつかの実施形態において、第１の表示モードでデスクトップに第１のアイコンを表示するよう表示画面１５０１に命令する段階を実行するとき、プロセッサ１５０２は具体的に、第１の色彩強度に従ってデスクトップに第１のアイコンを表示するよう表示画面１５０１に命令する段階を実行し、事前設定された表示モードで第１のアイコンを表示するよう表示画面１５０１に命令する段階を実行するとき、プロセッサ１５０２は具体的に、第２の色彩強度に従ってデスクトップに第１のアイコンを表示するよう表示画面１５０１に命令する段階であって、第２の色彩強度は、第１の色彩強度より高い、段階を実行する。
【０１７１】
本発明のいくつかの実施形態において、プロセッサ１５０２はさらに、第１のアイコンに対してユーザによって実行され、入力装置１５０４によって受け取られる第１の操作を検出する段階と、検出された第１の操作が、事前設定されたクリーニング操作と一致するとき、クリーニングが必要なアプリケーションの記憶空間または全てのアプリケーションの記憶空間をクリーニングする段階であって、クリーニングが必要なアプリケーションは、事前設定された記憶閾値より大きい記憶空間を使用する、第１のアイコンに対応するアプリケーションの中の一アプリケーションを指し、全てのアプリケーションは、第１のアイコンに対応する全てのアプリケーションを指す、段階とを実行するよう構成される。
【０１７２】
本発明のいくつかの実施形態において、プロセッサ１５０２はさらに、第１のアイコンに対してユーザによって実行され、入力装置１５０４によって受け取られる第１の操作を検出する段階と、検出された第１の操作が、事前設定されたクリーニング操作と一致するとき、クリーニングが必要なアプリケーションの記憶空間または全てのアプリケーションの記憶空間を解放し、クリーニングが必要なアプリケーションの空間解放進捗または全てのアプリケーションの空間解放進捗をリアルタイムでデスクトップに表示するよう表示画面１５０１に命令する段階であって、クリーニングが必要なアプリケーションは、事前設定された記憶閾値より大きい記憶空間を使用する、第１のアイコンに対応するアプリケーションの中の一アプリケーションを指し、全てのアプリケーションは、第１のアイコンに対応する全てのアプリケーションを指す、段階と、第１のアイコンに対して操作を実行することをユーザが停止したと決定したとき、第１の面積を目標として使用することによって、クリーニングが必要なアプリケーションの現在の空間解放進捗または全てのアプリケーションの現在の空間解放進捗に応じて第１のアイコンの面積を低減し、低減の後に取得される第３の面積に従って第１のアイコンを表示するよう表示画面１５０１に命令する段階であって、第３の面積は、第１の面積より小さくない、段階とを実行するよう構成される。
【０１７３】
本発明のいくつかの実施形態において、プロセッサ１５０２はさらに、第１のアイコンに対してユーザによって実行され、入力装置１５０４によって受け取られる第１の操作を検出する段階と、検出された第１の操作が、事前設定されたクリーニング操作と一致する場合、クリーニングが必要なアプリケーションの記憶空間または全てのアプリケーションの記憶空間を解放し、クリーニングが必要なアプリケーションの空間解放進捗または全てのアプリケーションの空間解放進捗をリアルタイムでデスクトップに表示するよう表示画面１５０１に命令する段階であって、クリーニングが必要なアプリケーションは、事前設定された記憶閾値より大きい記憶空間を使用する、第１のアイコンに対応するアプリケーションの中の一アプリケーションを指し、全てのアプリケーションは、第１のアイコンに対応する全てのアプリケーションを指す、段階と、第１のアイコンに対して操作を実行することをユーザが停止したと決定したとき、第１の色彩強度を目標として使用することによって、クリーニングが必要なアプリケーションの現在の空間解放進捗または全てのアプリケーションの現在の空間解放進捗に応じて第１のアイコンの色彩強度を低減し、低減された第２の色彩強度に従って第１のアイコンを表示するよう表示画面に命令する段階であって、低減された第２の色彩強度は、第１の色彩強度より低くない、段階とを実行するよう構成される。
【０１７４】
本発明のいくつかの実施形態において、事前設定されたクリーニング操作は、デスクトップの編集状態でユーザがアイコンをタッチアンドホールドしてアイコンを連続的に揺する操作である。
【０１７５】
実際の応用では、先述の端末はタッチスクリーン携帯電話であってよいことが理解され得る。この場合、先述の入力装置は、表示画面のタッチ感応面であってよい。図１６を参照して、タッチスクリーン携帯電話を例として使用することによって本発明の端末を以下で詳述する。
【０１７６】
図に示される携帯電話１６００は端末の例に過ぎないことを理解すべきである。携帯電話１６００は、図に示されるものより多いまたは少ないコンポーネントを有してよく、組み合わされた２またはそれより多くのコンポーネントを有してよく、または、種々のコンポーネント構成を有してよい。図に示される様々なコンポーネントは、１または複数の信号処理回路および／または特定用途向け集積回路を含むハードウェアによって、ソフトウェアによって、またはハードウェアとソフトウェアとを組み合わせて実装されてよい。
【０１７７】
ここで、具体的な説明の例として携帯電話が使用される。図１６は、本発明に係るアプリケーション記憶空間を表示するために使用される携帯電話の概略構造図である。図１６に示されるように、携帯電話は、メモリ１６０１、タッチスクリーン１６０２、中央処理装置（Ｃｅｎｔｒａｌ  Ｐｒｏｃｅｓｓｉｎｇ  Ｕｎｉｔ、略してＣＰＵ）１６０３、周辺インタフェース１６０４、ＲＦ回路１６０５、可聴周波数回路１６０６、ラウドスピーカ１６０７、電力管理チップ１６０８、入出力（Ｉ／Ｏ）サブシステム１６０９、別の入力／制御デバイス１６１０、および外部ポート１６１１を備える。これらのコンポーネントは、１または複数の通信バスまたは信号ケーブル１６１２を使用することによって互いに通信し合う。
【０１７８】
本実施形態において提供される携帯電話は、端末の例に過ぎないことに注意すべきである。本発明の本実施形態に含まれる端末は、図１６に示されるものより多いまたは少ないコンポーネントを有してよく、組み合わされた２またはそれより多くのコンポーネントを有してよく、または、種々のコンポーネント構成または設定を有してよい。様々なコンポーネントは、１または複数の信号処理回路および／または特定用途向け集積回路を含むハードウェアによって、ソフトウェアによって、またはハードウェアとソフトウェアとを組み合わせて実装されてよい。
【０１７９】
アプリケーション記憶空間を表示するための本実施形態において提供される携帯電話を以下で詳述する。
【０１８０】
メモリ１６０１：メモリ１６０１は、ＣＰＵ１６０３、周辺インタフェース１６０４、および同様のものによってアクセスされてよい。メモリ１６０１は、高速ランダムアクセスメモリを含んでよく、または、例えば、１または複数の磁気ディスク記憶デバイス、フラッシュデバイス、または別の不揮発性ソリッドステート記憶デバイスといった不揮発性メモリを含んでよい。
【０１８１】
周辺インタフェース１６０４：周辺インタフェースは、デバイスの入出力周辺機器をＣＰＵ１６０３およびメモリ１６０１に接続してよい。
【０１８２】
Ｉ／Ｏサブシステム１６０９：Ｉ／Ｏサブシステム１６０９は、タッチスクリーン１６０２および別の入力／制御デバイス１６１０などのデバイスの入出力周辺機器を周辺インタフェース１６０４に接続してよい。Ｉ／Ｏサブシステム１６０９は、ディスプレイコントローラ１６０９１と、別の入力／制御デバイス１６１０を制御するよう構成される１または複数の入力コントローラ１６０９２とを有してよい。１または複数の入力コントローラ１６０９２は、電気信号を別の入力／制御デバイス１６１０から受信し、または、電気信号を別の入力／制御デバイス１６１０に送信し、別の入力／制御デバイス１６１０は、（押しボタンまたはロッカーボタンなどの）物理的なボタン、ダイヤルパッド、スライダースイッチ、ジョイスティック、およびクリックスクロールホイールを有してよい。入力コントローラ１６０９２は、キーボード、赤外線ポート、ＵＳＢインタフェース、またはマウスなどのポインティングデバイスのいずれか１つに接続されてよいことに注意すべきである。
【０１８３】
タッチスクリーン１６０２：タッチスクリーン１６０２は、モバイル端末とユーザとの間の入力インタフェースおよび出力インタフェースの両方であり、視覚的出力をユーザに表示する。ここで、視覚的出力は、グラフィックス、テキスト、アイコン、ビデオ、および同様のものを含んでよい。
【０１８４】
Ｉ／Ｏサブシステム１６０９のディスプレイコントローラ１６０９１は、電気信号をタッチスクリーン１６０２から受信し、または電気信号をタッチスクリーン１６０２に送信する。タッチスクリーン１６０２は、タッチスクリーン上で接触を検出し、ディスプレイコントローラ１６０９１は、検出された接触を、ユーザとタッチスクリーン１６０２に表示されるユーザインタフェースオブジェクトとの間のインタラクションに変換する。すなわち、ヒューマンマシンインタラクションを実行する。タッチスクリーン１６０２に表示されるユーザインタフェースオブジェクトは、ゲームを実行するためのアイコン、対応するネットワークにアクセスするためのアイコン、または同様のものであってよい。当該デバイスはさらに光学式マウスを含んでよい。ここで、光学式マウスは、視覚的出力を表示しないタッチ感応面、または、タッチスクリーンによって形成されるタッチ感応面の拡張部分であることに注意すべきである。
【０１８５】
ＲＦ回路１６０５は主に、携帯電話と無線ネットワーク（すなわち、ネットワーク側）との間に通信を確立するよう構成され、これにより、例えば、ＳＭＳメッセージまたは電子メールの送受信といった、携帯電話と無線ネットワークとの間のデータの送受信を実行する。具体的に、ＲＦ回路１６０５は、ＲＦ信号を送受信する。ここで、ＲＦ信号は電磁信号とも称される。ＲＦ回路１６０５は、電気信号を電磁信号に変換し、または電磁信号を電気信号に変換し、電磁信号を使用することによって通信ネットワークおよび別のデバイスと通信する。ＲＦ回路１６０５は、これらの機能を実行するよう構成される既知の回路を含んでよく、限定されないが、アンテナシステム、ＲＦトランシーバ、１または複数の増幅器、チューナ、１または複数の発振器、デジタル信号プロセッサ、ＣＯＤＥＣチップセット、加入者識別モジュール（Ｓｕｂｓｃｒｉｂｅｒ  Ｉｄｅｎｔｉｔｙ  Ｍｏｄｕｌｅ、ＳＩＭ）または同様のものを含む。
【０１８６】
可聴周波数回路１６０６は主に、オーディオデータを周辺インタフェース１６０４から受信し、オーディオデータを電気信号に変換し、電気信号をラウドスピーカ１６０７に送信するよう構成される。
【０１８７】
ラウドスピーカ１６０７は、ＲＦ回路１６０５を使用することによって無線ネットワークから携帯電話によって受信されたオーディオ信号を音に復元するよう構成され、ユーザのために音を再生する。
【０１８８】
電力管理集積回路１６０８は、ＣＰＵ１６０３に接続されたハードウェア、Ｉ／Ｏサブシステム、および周辺インタフェースに電力を供給し、それらに対して電力管理を実行するよう構成される。
【０１８９】
本発明の本実施形態において、プロセッサ１６０３は、メモリ１６０１に記憶された操作命令を呼び出すことによって、第１の表示モードでデスクトップに第１のアイコンを表示するようタッチスクリーン１６０２に命令する段階と、第１のアプリケーションによって使用された記憶空間が第１のアプリケーションの事前設定された記憶閾値より大きいか否かを決定する段階であって、第１のアイコンは、１または複数のアプリケーションに対応し、第１のアプリケーションは、第１のアイコンに対応するアプリケーションのいずれか１つである、段階と、第１のアプリケーションによって使用された記憶空間が、事前設定された記憶閾値より大きいと決定したとき、事前設定された表示モードで第１のアイコンを表示するようタッチスクリーン１６０２に命令する段階であって、事前設定された表示モードは、第１の表示モードとは異なる、段階とを実行するよう構成される。
【０１９０】
本発明のいくつかの実施形態において、第１の表示モードでデスクトップに第１のアイコンを表示するようタッチスクリーン１６０２に命令する段階を実行するとき、プロセッサ１６０３は具体的に、第１の面積に従ってデスクトップに第１のアイコンを表示するようタッチスクリーン１６０２に命令する段階を実行し、事前設定された表示モードで第１のアイコンを表示するようタッチスクリーン１６０２に命令する段階を実行するとき、当該プロセッサは具体的に、第２の面積に従ってデスクトップに第１のアイコンを表示するようタッチスクリーンに命令する段階であって、第２の面積は、第１の面積より大きい、段階を実行する。
【０１９１】
本発明のいくつかの実施形態において、第１の表示モードでデスクトップに第１のアイコンを表示するようタッチスクリーン１６０２に命令する段階を実行するとき、プロセッサ１６０３は具体的に、第１の色彩強度に従ってデスクトップに第１のアイコンを表示するようタッチスクリーン１６０２に命令する段階を実行し、事前設定された表示モードで第１のアイコンを表示するようタッチスクリーン１６０２に命令する段階を実行するとき、当該プロセッサは具体的に、第２の色彩強度に従ってデスクトップに第１のアイコンを表示するようタッチスクリーン１６０２に命令する段階であって、第２の色彩強度は、第１の色彩強度より高い、段階を実行する。
【０１９２】
本発明のいくつかの実施形態において、プロセッサ１６０３はさらに、第１のアイコンに対してユーザによって実行され、タッチスクリーン１６０２によって受け取られる第１の操作を検出する段階と、検出された第１の操作が、事前設定されたクリーニング操作と一致する場合、クリーニングが必要なアプリケーションの記憶空間をクリーニングする段階であって、クリーニングが必要なアプリケーションは、事前設定された記憶閾値より大きい記憶空間を使用する、第１のアイコンに対応するアプリケーションの中の一アプリケーションを指す、段階とを実行するよう構成される。
【０１９３】
本発明のいくつかの実施形態において、プロセッサ１６０３はさらに、第１のアイコンに対してユーザによって実行され、タッチスクリーン１６０２によって受け取られる第１の操作を検出する段階と、検出された第１の操作が、事前設定されたクリーニング操作と一致する場合、全てのアプリケーションの記憶空間をクリーニングする段階であって、全てのアプリケーションは、第１のアイコンに対応する全てのアプリケーションを指す、段階とを実行するよう構成される。
【０１９４】
本発明のいくつかの実施形態において、プロセッサ１６０３はさらに、第１のアイコンに対してユーザによって実行され、タッチスクリーン１６０２によって受け取られる第１の操作を検出する段階と、検出された第１の操作が、事前設定されたクリーニング操作と一致するとき、クリーニングが必要なアプリケーションの記憶空間または全てのアプリケーションの記憶空間を解放し、クリーニングが必要なアプリケーションの空間解放進捗または全てのアプリケーションの空間解放進捗をリアルタイムでデスクトップに表示するようタッチスクリーン１６０２に命令する段階であって、クリーニングが必要なアプリケーションは、事前設定された記憶閾値より大きい記憶空間を使用する、第１のアイコンに対応するアプリケーションの中の一アプリケーションを指し、全てのアプリケーションは、第１のアイコンに対応する全てのアプリケーションを指す、段階と、第１のアイコンに対して操作を実行することをユーザが停止したと決定したとき、第１の面積を目標として使用することによって、クリーニングが必要なアプリケーションの現在の空間解放進捗または全てのアプリケーションの現在の空間解放進捗に応じて第１のアイコンの面積を低減し、低減の後に取得される第３の面積に従って第１のアイコンを表示するようタッチスクリーン１６０２に命令する段階であって、第３の面積は、第１の面積より小さくない、段階とを実行するよう構成される。
【０１９５】
本発明のいくつかの実施形態において、プロセッサ１６０３はさらに、第１のアイコンに対してユーザによって実行され、タッチスクリーン１６０２によって受け取られる第１の操作を検出する段階と、検出された第１の操作が、事前設定されたクリーニング操作と一致する場合、クリーニングが必要なアプリケーションの記憶空間または全てのアプリケーションの記憶空間を解放し、クリーニングが必要なアプリケーションの空間解放進捗または全てのアプリケーションの空間解放進捗をリアルタイムでデスクトップに表示するようタッチスクリーン１６０２に命令する段階であって、クリーニングが必要なアプリケーションは、事前設定された記憶閾値より大きい記憶空間を使用する、第１のアイコンに対応するアプリケーションの中の一アプリケーションを指し、全てのアプリケーションは、第１のアイコンに対応する全てのアプリケーションを指す、段階と、第１のアイコンに対して操作を実行することをユーザが停止したと決定したとき、第１の色彩強度を目標として使用することによって、クリーニングが必要なアプリケーションの現在の空間解放進捗または全てのアプリケーションの現在の空間解放進捗に応じて第１のアイコンの色彩強度を端末が低減し、低減された第２の色彩強度に従って第１のアイコンを表示するようタッチスクリーン１６０２に命令する段階であって、低減された第２の色彩強度は、第１の色彩強度より低くない、段階とを実行するよう構成される。
【０１９６】
本発明の実施形態がさらに、端末デバイス上のグラフィカルユーザインタフェースを提供する。端末デバイスは、表示画面と、メモリと、複数のアプリケーションプログラムと、メモリに記憶された１または複数のプログラムを実行するよう構成される１または複数のプロセッサとを備え、グラフィカルユーザインタフェースは、アプリケーションインタフェース要素を表示するために使用されるインタフェースを含み、アプリケーションインタフェース要素を表示するために使用されるインタフェースは、第１の表示モードで表示画面に、１または複数のアプリケーションプログラムに対応する第１のアイコンを表示することと、第１のアイコンに対応するアプリケーションプログラムのいずれか１つである第１のアプリケーションによって使用された記憶空間が、事前設定された記憶閾値より大きいと検出したことに応答して、第１の表示モードとは異なる事前設定された表示モードで第１のアイコンを表示することとを備える。
【０１９７】
本発明のいくつかの実施形態において、第１の表示モードで表示画面に第１のアイコンを表示することは具体的に、第１の面積に従って端末デバイスのデスクトップに第１のアイコンを表示することを有し、事前設定された表示モードで第１のアイコンを表示することは具体的に、第１の面積より大きい第２の面積に従ってデスクトップに第１のアイコンを表示することを有する。
【０１９８】
本発明のいくつかの実施形態において、第１の表示モードで表示画面に第１のアイコンを表示することは具体的に、第１の色彩強度に従って端末デバイスのデスクトップに第１のアイコンを表示することを有し、事前設定された表示モードで第１のアイコンを表示することは具体的に、第１の色彩強度より高い第２の色彩強度に従ってデスクトップに第１のアイコンを表示することを有する。
【０１９９】
本発明のいくつかの実施形態において、第２の面積に従ってデスクトップに第１のアイコンを表示する段階の後、アプリケーションインタフェース要素を表示するために使用されるインタフェースはさらに、第１のアイコンに対して実行される第１の操作が、事前設定されたクリーニング操作と一致すると検出したことに応答して、事前設定された記憶閾値より大きい記憶空間を使用する、第１のアイコンに対応するアプリケーションの中の一アプリケーションを指す、クリーニングが必要なアプリケーションの空間解放進捗、または第１のアイコンに対応する全てのアプリケーションを指す全てのアプリケーションの空間解放進捗を、リアルタイムでデスクトップに表示することと、第１の操作が停止されたと検出したことに応答して、第１の面積を目標として使用することによって、クリーニングが必要なアプリケーションの現在の空間解放進捗または全てのアプリケーションの現在の空間解放進捗に応じて第１のアイコンの面積を低減し、低減の後に取得される、第１の面積より小さくない第３の面積に従って第１のアイコンを表示することとを備える。
【０２００】
本発明のいくつかの実施形態において、第２の色彩強度に従ってデスクトップに第１のアイコンを表示する段階の後、アプリケーションインタフェース要素を表示するために使用されるインタフェースはさらに、第１のアイコンに対して実行される第１の操作が、事前設定されたクリーニング操作と一致すると検出したことに応答して、事前設定された記憶閾値より大きい記憶空間を使用する、第１のアイコンに対応するアプリケーションの中の一アプリケーションを指す、クリーニングが必要なアプリケーションの空間解放進捗、または第１のアイコンに対応する全てのアプリケーションを指す全てのアプリケーションの空間解放進捗を、リアルタイムでデスクトップに表示することと、第１の操作が停止されたと検出したことに応答して、第１の色彩強度を目標として使用することによって、クリーニングが必要なアプリケーションの現在の空間解放進捗または全てのアプリケーションの現在の空間解放進捗に応じて第１のアイコンの色彩強度を低減し、第１の色彩強度より低くない、低減された第２の色彩強度に従って、第１のアイコンを表示することとを備える。
【０２０１】
本発明の一実施形態において、１または複数のプログラムを記憶するコンピュータ可読記憶媒体がさらに含まれ、１または複数のプログラムは命令を含む。ディスプレイおよび複数のアプリケーションプログラムを含む電子デバイスが命令を実行するとき、電子デバイスは、請求項１から７に記載の方法を実行することが可能にされ、ディスプレイは表示画面を含む。
【０２０２】
本発明の一実施形態において、ディスプレイおよび複数のアプリケーションプログラムを含む電子デバイスにおいて使用される情報処理装置がさらに含まれ、情報処理装置は、例えば、独立して製造され、販売され得るコンポーネント、モジュール、または装置である。ディスプレイは、表示画面を有し、情報処理装置は、第１の表示モードで表示画面に第１のアイコンを表示するよう構成される装置と、第１のアプリケーションによって使用された記憶空間が第１のアプリケーションの事前設定された記憶閾値より大きいか否かを決定するよう構成される装置であって、第１のアイコンは、１または複数のアプリケーションに対応し、第１のアプリケーションは、第１のアイコンに対応するアプリケーションのいずれか１つである、装置と、第１のアプリケーションによって使用された記憶空間が、事前設定された記憶閾値より大きいと決定されたとき、事前設定された表示モードで第１のアイコンを表示するよう構成される装置であって、事前設定された表示モードは、第１の表示モードとは異なる、装置とを備える。
【０２０３】
本発明のいくつかの実施形態において、第１の表示モードで表示画面に第１のアイコンを表示するよう構成される装置は具体的に、第１の面積に従って表示画面のデスクトップ表示インタフェースに第１のアイコンを表示するよう構成される装置であり、事前設定された表示モードで第１のアイコンを表示するよう構成される装置は具体的に、第２の面積に従ってデスクトップに第１のアイコンを表示するよう構成される装置であって、第２の面積は、第１の面積より大きい、装置である。
【０２０４】
本発明のいくつかの実施形態において、第１の表示モードで表示画面に第１のアイコンを表示するよう構成される装置は具体的に、第１の色彩強度に従って表示画面のデスクトップ表示インタフェースに第１のアイコンを表示するよう構成される装置であり、事前設定された表示モードで第１のアイコンを表示するよう構成される装置は具体的に、第２の色彩強度に従ってデスクトップに第１のアイコンを表示するよう構成される装置であって、第２の色彩強度は、第１の色彩強度より高い、装置である。
【０２０５】
本発明のいくつかの実施形態において、情報処理装置はさらに、第１のアイコンに対して実行される第１の操作を検出するよう構成される装置と、第１の操作が、事前設定されたクリーニング操作と一致するとき、クリーニングが必要なアプリケーションの記憶空間または全てのアプリケーションの記憶空間をクリーニングするよう構成される装置であって、クリーニングが必要なアプリケーションは、事前設定された記憶閾値より大きい記憶空間を使用する、第１のアイコンに対応するアプリケーションの中の一アプリケーションを指し、全てのアプリケーションは、第１のアイコンに対応する全てのアプリケーションを指す、装置とを備える。
【０２０６】
本発明のいくつかの実施形態において、情報処理装置はさらに、第１のアイコンに対して実行される第１の操作を検出するよう構成される装置と、第１の操作が、事前設定されたクリーニング操作と一致するとき、クリーニングが必要なアプリケーションの記憶空間または全てのアプリケーションの記憶空間を解放し、クリーニングが必要なアプリケーションの空間解放進捗または全てのアプリケーションの空間解放進捗をリアルタイムでデスクトップに表示するよう構成される装置であって、クリーニングが必要なアプリケーションは、事前設定された記憶閾値より大きい記憶空間を使用する、第１のアイコンに対応するアプリケーションの中の一アプリケーションを指し、全てのアプリケーションは、第１のアイコンに対応する全てのアプリケーションを指す、装置と、第１のアイコンに対して操作を実行することをユーザが停止したと決定されたとき、第１の面積を目標として使用することによって、クリーニングが必要なアプリケーションの現在の空間解放進捗または全てのアプリケーションの現在の空間解放進捗に応じて第１のアイコンの面積を低減し、低減の後に取得される第３の面積に従って第１のアイコンを表示するよう構成される装置であって、第３の面積は、第１の面積より小さくない、装置とを備える。
【０２０７】
本発明のいくつかの実施形態において、情報処理装置はさらに、第１のアイコンに対して実行される第１の操作を検出するよう構成される装置と、第１の操作が、事前設定されたクリーニング操作と一致するとき、クリーニングが必要なアプリケーションの記憶空間または全てのアプリケーションの記憶空間を解放し、クリーニングが必要なアプリケーションの空間解放進捗または全てのアプリケーションの空間解放進捗をリアルタイムでデスクトップに表示するよう構成される装置であって、クリーニングが必要なアプリケーションは、事前設定された記憶閾値より大きい記憶空間を使用する、第１のアイコンに対応するアプリケーションの中の一アプリケーションを指し、全てのアプリケーションは、第１のアイコンに対応する全てのアプリケーションを指す、装置と、第１のアイコンに対して操作を実行することをユーザが停止したと決定されたとき、第１の色彩強度を目標として使用することによって、クリーニングが必要なアプリケーションの現在の空間解放進捗または全てのアプリケーションの現在の空間解放進捗に応じて第１のアイコンの色彩強度を低減し、低減された第２の色彩強度に従って第１のアイコンを表示するよう構成される装置であって、低減された第２の色彩強度は、第１の色彩強度より低くない、装置とを備える。
【０２０８】
本発明の一実施形態において、電子デバイス上のグラフィカルユーザインタフェースがさらに含まれる。電子デバイスは、ディスプレイと、メモリと、複数のアプリケーションプログラムと、メモリに記憶された１または複数のプログラムを実行するよう構成される１または複数のプロセッサとを備え、グラフィカルユーザインタフェースは、請求項１から７のいずれか一項に記載の方法を使用することによって表示されるユーザインタフェースを備え、ディスプレイは表示画面を含む。
【０２０９】
本発明の一実施形態において、電子デバイスがさらに含まれる。当該電子デバイスは、表示画面を含むディスプレイと、１または複数のプロセッサと、メモリと複数のアプリケーションプログラムと、１または複数のプログラムとを備える。ここで、１または複数のプログラムは、メモリに記憶され、１または複数のプロセッサによって実行されるよう構成され、１または複数のプログラムは、図１から図４に対応する実施形態のアプリケーション記憶空間を表示するための方法を実行するために使用される命令を有する。
【０２１０】
本発明の一実施形態において、電子デバイスにおいて使用される情報処理装置がさらに含まれる。電子デバイスは、ディスプレイおよび複数のアプリケーションプログラムを備え、情報処理装置は、図１から図４に対応する実施形態のアプリケーション記憶空間を表示するための方法を実行するよう構成される装置を備える。ここで、ディスプレイは表示画面を有する。
【０２１１】
当業者には明確に理解され得るように、説明を簡便かつ簡潔にする目的のために、先述のシステム、装置、およびユニットの詳細な作動プロセスについては、先述の方法の実施形態の対応するプロセスが参照されてよく、ここでは詳細は説明しない。
【０２１２】
本願において提供されるいくつかの実施形態では、開示されたシステム、装置、および方法は他の方式で実装されてよいことが理解されるべきである。例えば、説明された装置の実施形態は、例示的なものに過ぎない。例えば、ユニットの分割は、論理的機能の分割に過ぎず、実際の実装においては他の分割であってよい。例えば、複数のユニットまたはコンポーネントが別のシステムに組み合わされるか、または統合されてよく、または、いくつかの機能は、無視されるか、または実行されなくてよい。加えて、表示または議論された相互結合、または直接的な結合もしくは通信接続は、いくつかのインタフェースを使用することによって実装されてよい。装置間またはユニット間の間接的な結合または通信接続は、電子的形態、機械的形態、または別の形態で実装されてよい。
【０２１３】
別個の部分として説明されたユニットは、物理的に分かれていても、そうでなくてもよい。また、ユニットとして表示された部分は、物理的なユニットであっても、そうでなくてもよく、１か所に配置されてよく、または、複数のネットワークユニットにおいて分散されてよい。実施形態の解決手段の目的を達成すべく、実際の必要性に応じてユニットの一部または全部が選択されてよい。
【０２１４】
加えて、本発明の実施形態の機能ユニットが１つの処理ユニットに統合されてよく、または、当該ユニットの各々が物理的に単独で存在してよく、または、２またはそれより多くのユニットが１つのユニットに統合される。統合されたユニットは、ハードウェアの形態で実装されてよく、または、ソフトウェア機能ユニットの形態で実装されてよい。
【０２１５】
統合されたユニットがソフトウェア機能ユニットの形態で実装され、独立した製品として販売または使用された場合、統合されたユニットは、コンピュータ可読記憶媒体に記憶されてよい。そのような理解に基づいて、本発明の技術的解決手段は本質的に、または従来技術に寄与する部分は、または技術的解決手段の全てまたは一部は、ソフトウェア製品の形態で実装されてよい。コンピュータソフトウェア製品は記憶媒体に記憶され、本発明の実施形態において説明された方法の段階の全部または一部を実行するよう（パーソナルコンピュータ、サーバ、またはネットワークデバイスであってよい）コンピュータデバイスに命令するためのいくつかの命令を含む。先述の記憶媒体は、プログラムコードを記憶可能な、ＵＳＢフラッシュドライブ、リムーバブルハードディスク、リードオンリメモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、または光ディスクなどの任意の媒体を含む。
【０２１６】
先述の実施形態は、本発明の技術的解決手段を説明するよう意図されているに過ぎず、本発明を限定するよう意図されているのではない。本発明は、先述の実施形態に関連して詳述に説明されているが、当業者であれば、本発明の実施形態の技術的解決手段の範囲から逸脱することなく、さらに、先述の実施形態において説明された技術的解決手段に対して変更を施し、または、これらのいくつかの技術的機能に対して均等な置き換えを行い得ることを当業者は理解すべきである。
［項目１］
アプリケーション記憶空間を表示するための方法であって、
第１の表示モードでデスクトップに第１のアイコンを端末が表示する段階と、
第１のアプリケーションによって使用された記憶空間が上記第１のアプリケーションの事前設定された記憶閾値より大きいか否かを上記端末が決定する段階であって、上記第１のアイコンは、１または複数のアプリケーションに対応し、上記第１のアプリケーションは、上記第１のアイコンに対応する上記アプリケーションのいずれか１つである、段階と、
上記第１のアプリケーションによって使用された上記記憶空間が、上記事前設定された記憶閾値より大きいと決定したとき、事前設定された表示モードで上記第１のアイコンを上記端末が表示する段階であって、上記事前設定された表示モードは、上記第１の表示モードとは異なる、段階と
を備える方法。
［項目２］
第１の表示モードでデスクトップに第１のアイコンを端末が表示する上記段階は具体的に、
第１の面積に従って上記デスクトップに上記第１のアイコンを上記端末が表示する段階を有し、
事前設定された表示モードで上記第１のアイコンを上記端末が表示する上記段階は具体的に、
第２の面積に従って上記デスクトップに上記第１のアイコンを上記端末が表示する段階であって、上記第２の面積は、上記第１の面積より大きい、段階を有する、
項目１に記載の方法。
［項目３］
第１の表示モードでデスクトップに第１のアイコンを端末が表示する上記段階は具体的に、
第１の色彩強度に従って上記デスクトップに上記第１のアイコンを上記端末が表示する段階を有し、
事前設定された表示モードで上記第１のアイコンを上記端末が表示する上記段階は具体的に、
第２の色彩強度に従って上記デスクトップに上記第１のアイコンを上記端末が表示する段階であって、上記第２の色彩強度は、上記第１の色彩強度より高い、段階を有する、
項目１に記載の方法。
［項目４］
事前設定された表示モードで上記第１のアイコンを上記端末が表示する上記段階の後、
上記第１のアイコンに対して実行される第１の操作を上記端末が検出する段階と、
上記第１の操作が、事前設定されたクリーニング操作と一致するとき、クリーニングが必要なアプリケーションの記憶空間または全ての上記アプリケーションの記憶空間を上記端末がクリーニングする段階であって、上記クリーニングが必要なアプリケーションは、事前設定された記憶閾値より大きい記憶空間を使用する、上記第１のアイコンに対応する上記アプリケーションの中の一アプリケーションを指し、全ての上記アプリケーションは、上記第１のアイコンに対応する全ての上記アプリケーションを指す、段階とをさらに備える
項目１に記載の方法。
［項目５］
第２の面積に従って上記デスクトップに上記第１のアイコンを上記端末が表示する上記段階の後、
上記第１のアイコンに対して実行される第１の操作を上記端末が検出する段階と、
上記第１の操作が、事前設定されたクリーニング操作と一致するとき、クリーニングが必要なアプリケーションの記憶空間または全ての上記アプリケーションの記憶空間を解放し、上記クリーニングが必要なアプリケーションの空間解放進捗または全ての上記アプリケーションの空間解放進捗をリアルタイムで上記デスクトップに表示する段階であって、上記クリーニングが必要なアプリケーションは、事前設定された記憶閾値より大きい記憶空間を使用する、上記第１のアイコンに対応する上記アプリケーションの中の一アプリケーションを指し、全ての上記アプリケーションは、上記第１のアイコンに対応する全ての上記アプリケーションを指す、段階と、
上記第１のアイコンに対して操作を実行することをユーザが停止したと決定したとき、上記第１の面積を目標として使用することによって、上記クリーニングが必要なアプリケーションの現在の空間解放進捗または全ての上記アプリケーションの現在の空間解放進捗に応じて上記第１のアイコンの面積を上記端末が低減し、上記低減の後に取得される第３の面積に従って上記第１のアイコンを表示する段階であって、上記第３の面積は、上記第１の面積より小さくない、段階とをさらに備える
項目２に記載の方法。
［項目６］
第２の色彩強度に従って上記デスクトップに上記第１のアイコンを上記端末が表示する上記段階の後、
上記第１のアイコンに対して実行される第１の操作を上記端末が検出する段階と、
上記第１の操作が、事前設定されたクリーニング操作と一致するとき、クリーニングが必要なアプリケーションの記憶空間または全ての上記アプリケーションの記憶空間を解放し、上記クリーニングが必要なアプリケーションの空間解放進捗または全ての上記アプリケーションの空間解放進捗をリアルタイムで上記デスクトップに表示する段階であって、上記クリーニングが必要なアプリケーションは、事前設定された記憶閾値より大きい記憶空間を使用する、上記第１のアイコンに対応する上記アプリケーションの中の一アプリケーションを指し、全ての上記アプリケーションは、上記第１のアイコンに対応する全ての上記アプリケーションを指す、段階と、
上記第１のアイコンに対して上記操作を実行することをユーザが停止したと決定したとき、上記第１の色彩強度を目標として使用することによって、上記クリーニングが必要なアプリケーションの現在の空間解放進捗または全ての上記アプリケーションの現在の空間解放進捗に応じて上記第１のアイコンの色彩強度を上記端末が低減し、上記低減された第２の色彩強度に従って上記第１のアイコンを表示する段階であって、上記第２の色彩強度は、上記第１の色彩強度より低くない、段階とをさらに備える
項目３に記載の方法。
［項目７］
上記事前設定されたクリーニング操作は、上記デスクトップの編集状態で上記ユーザがアイコンを選択し、連続的に揺する操作である、項目４から６のいずれか一項に記載の方法。
［項目８］
第１の表示モードでデスクトップに第１のアイコンを表示するよう構成される第１の表示モジュールと、
第１のアプリケーションによって使用された記憶空間が上記第１のアプリケーションの事前設定された記憶閾値より大きいか否かを決定するよう構成される決定モジュールであって、上記第１のアイコンは、１または複数のアプリケーションに対応し、上記第１のアプリケーションは、上記第１のアイコンに対応する上記アプリケーションのいずれか１つである、決定モジュールと、
上記第１のアプリケーションによって使用された上記記憶空間が、上記事前設定された記憶閾値より大きいと上記決定モジュールが決定したとき、事前設定された表示モードで上記第１のアイコンを表示するよう構成される第２の表示モジュールであって、上記事前設定された表示モードは、上記第１の表示モードとは異なる、第２の表示モジュールと
を備える端末。
［項目９］
上記第１の表示モジュールは具体的に、第１の面積に従って上記デスクトップに上記第１のアイコンを表示するよう構成され、
上記第２の表示モジュールは具体的に、上記第１のアプリケーションによって使用された上記記憶空間が、上記事前設定された記憶閾値より大きいと上記決定モジュールが決定したとき、第２の面積に従って上記デスクトップに上記第１のアイコンを表示するよう構成され、上記第２の面積は、上記第１の面積より大きい、
項目８に記載の端末。
［項目１０］
上記第１の表示モジュールは具体的に、第１の色彩強度に従って上記デスクトップに上記第１のアイコンを表示するよう構成され、
上記第２の表示モジュールは具体的に、第２の色彩強度に従って上記デスクトップに上記第１のアイコンを表示するよう構成され、上記第２の色彩強度は、上記第１の色彩強度より高い、
項目８に記載の端末。
［項目１１］
上記第１のアイコンに対して実行される第１の操作を検出するよう構成される検出モジュールと、
上記検出モジュールによって検出された上記第１の操作が、事前設定されたクリーニング操作と一致するとき、クリーニングが必要なアプリケーションの記憶空間をクリーニングするよう構成される第１のクリーニングモジュールであって、上記クリーニングが必要なアプリケーションは、事前設定された記憶閾値より大きい記憶空間を使用する、上記第１のアイコンに対応する上記アプリケーションの中の一アプリケーションを指す、第１のクリーニングモジュール、または、上記検出モジュールによって検出された上記第１の操作が、事前設定されたクリーニング操作と一致するとき、全ての上記アプリケーションの記憶空間をクリーニングするよう構成される第２のクリーニングモジュールであって、上記クリーニングが必要なアプリケーションは、事前設定された記憶閾値より大きい記憶空間を使用する、上記第１のアイコンに対応する上記アプリケーションの中の一アプリケーションを指し、全ての上記アプリケーションは、上記第１のアイコンに対応する全ての上記アプリケーションを指す、第２のクリーニングモジュールと
をさらに備える、項目８に記載の端末。
［項目１２］
上記第１のアイコンに対して実行される第１の操作を検出するよう構成される検出モジュールと、
上記検出モジュールによって検出された上記第１の操作が、事前設定されたクリーニング操作と一致するとき、クリーニングが必要なアプリケーションの記憶空間または全ての上記アプリケーションの記憶空間を解放し、上記クリーニングが必要なアプリケーションの空間解放進捗または全ての上記アプリケーションの空間解放進捗をリアルタイムで上記デスクトップに表示するよう構成される第１の解放モジュールであって、上記クリーニングが必要なアプリケーションは、事前設定された記憶閾値より大きい記憶空間を使用する、上記第１のアイコンに対応する上記アプリケーションの中の一アプリケーションを指し、全ての上記アプリケーションは、上記第１のアイコンに対応する全ての上記アプリケーションを指す、第１の解放モジュールと、
上記第１のアイコンに対して上記操作を実行することをユーザが停止したと上記検出モジュールが決定したとき、上記第１の面積を目標として使用することによって、上記クリーニングが必要なアプリケーションの現在の空間解放進捗または全ての上記アプリケーションの現在の空間解放進捗に応じて上記第１のアイコンの面積を低減し、上記低減の後に取得される第３の面積に従って上記第１のアイコンを表示するよう構成される第３の表示モジュールであって、上記第３の面積は、上記第１の面積より小さくない、第３の表示モジュールと
をさらに備える、項目９に記載の端末。
［項目１３］
上記第１のアイコンに対して実行される第１の操作を検出するよう構成される検出モジュールと、
上記検出モジュールによって検出された上記第１の操作が、事前設定されたクリーニング操作と一致するとき、クリーニングが必要なアプリケーションの記憶空間または全ての上記アプリケーションの記憶空間を解放し、上記クリーニングが必要なアプリケーションの空間解放進捗または全ての上記アプリケーションの空間解放進捗をリアルタイムで上記デスクトップに表示するよう構成される第２の解放モジュールであって、上記クリーニングが必要なアプリケーションは、事前設定された記憶閾値より大きい記憶空間を使用する、上記第１のアイコンに対応する上記アプリケーションの中の一アプリケーションを指し、全ての上記アプリケーションは、上記第１のアイコンに対応する全ての上記アプリケーションを指す、第２の解放モジュールと、
上記第１のアイコンに対する上記操作を実行することをユーザが停止したと上記検出モジュールが決定したとき、上記第１の色彩強度を目標として使用することによって、上記クリーニングが必要なアプリケーションの現在の空間解放進捗または全ての上記アプリケーションの現在の空間解放進捗に応じて上記第１のアイコンの色彩強度を低減し、上記低減された第２の色彩強度に従って上記第１のアイコンを表示するよう構成される第４の表示モジュールであって、上記第２の色彩強度は、上記第１の色彩強度より低くない、第４の表示モジュールと
をさらに備える、項目１０に記載の端末。
［項目１４］
上記事前設定されたクリーニング操作は、上記デスクトップの編集状態で上記ユーザがアイコンを選択し、連続的に揺する操作である、項目１１から１３のいずれか一項に記載の端末。
［項目１５］
表示画面、プロセッサ、メモリ、および入力装置を備える端末であって、
上記表示画面は、上記端末とユーザとの間の出力インタフェースとして使用され、上記ユーザに対して視覚的出力を表示し、
上記入力装置は、上記ユーザの操作を受け取るよう構成され、
上記プロセッサは、上記メモリに記憶された操作命令を呼び出すことによって、
第１の表示モードでデスクトップに第１のアイコンを表示するよう上記表示画面に命令する段階と、
第１のアプリケーションによって使用された記憶空間が上記第１のアプリケーションの事前設定された記憶閾値より大きいか否かを決定する段階であって、上記第１のアイコンは、１または複数のアプリケーションに対応し、上記第１のアプリケーションは、上記第１のアイコンに対応する上記アプリケーションのいずれか１つである、段階と、
上記第１のアプリケーションによって使用された上記記憶空間が、上記事前設定された記憶閾値より大きいと決定したとき、事前設定された表示モードで上記第１のアイコンを表示するよう上記表示画面に命令する段階であって、上記事前設定された表示モードは、上記第１の表示モードとは異なる、段階とを実行するよう構成される、
端末。
［項目１６］
第１の表示モードでデスクトップに第１のアイコンを表示するよう上記表示画面に命令する上記段階を実行するとき、上記プロセッサは具体的に、
第１の面積に従って上記デスクトップに上記第１のアイコンを表示するよう上記表示画面に命令する段階を実行し、
事前設定された表示モードで上記第１のアイコンを表示するよう上記表示画面に命令する上記段階を実行するとき、上記プロセッサは具体的に、
第２の面積に従って上記デスクトップに上記第１のアイコンを表示するよう上記表示画面に命令する段階であって、上記第２の面積は、上記第１の面積より大きい、段階を実行する、項目１５に記載の端末。
［項目１７］
第１の表示モードでデスクトップに第１のアイコンを表示するよう上記表示画面に命令する上記段階を実行するとき、上記プロセッサは具体的に、
第１の色彩強度に従って上記デスクトップに上記第１のアイコンを表示するよう上記表示画面に命令する段階を実行し、
事前設定された表示モードで上記第１のアイコンを表示するよう上記表示画面に命令する上記段階を実行するとき、上記プロセッサは具体的に、
第２の色彩強度に従って上記デスクトップに上記第１のアイコンを表示するよう上記表示画面に命令する段階であって、上記第２の色彩強度は、上記第１の色彩強度より高い、段階を実行する、項目１５に記載の端末。
［項目１８］
上記プロセッサはさらに、
上記第１のアイコンに対して上記ユーザによって実行され、上記入力装置によって受け取られる第１の操作を検出する段階と、
上記検出された第１の操作が、事前設定されたクリーニング操作と一致するとき、クリーニングが必要なアプリケーションの記憶空間または全ての上記アプリケーションの記憶空間をクリーニングする段階であって、上記クリーニングが必要なアプリケーションは、事前設定された記憶閾値より大きい記憶空間を使用する、上記第１のアイコンに対応する上記アプリケーションの中の一アプリケーションを指し、全ての上記アプリケーションは、上記第１のアイコンに対応する全ての上記アプリケーションを指す、段階とを実行するよう構成される、項目１５に記載の端末。
［項目１９］
上記プロセッサはさらに、
上記第１のアイコンに対して上記ユーザによって実行され、上記入力装置によって受け取られる第１の操作を検出する段階と、
上記検出された第１の操作が、事前設定されたクリーニング操作と一致するとき、クリーニングが必要なアプリケーションの記憶空間または全ての上記アプリケーションの記憶空間を解放し、上記クリーニングが必要なアプリケーションの空間解放進捗または全ての上記アプリケーションの空間解放進捗をリアルタイムで上記デスクトップに表示するよう上記表示画面に命令する段階であって、上記クリーニングが必要なアプリケーションは、事前設定された記憶閾値より大きい記憶空間を使用する、上記第１のアイコンに対応する上記アプリケーションの中の一アプリケーションを指し、全ての上記アプリケーションは、上記第１のアイコンに対応する全ての上記アプリケーションを指す、段階と、
上記第１のアイコンに対して上記操作を実行することを上記ユーザが停止したと決定したとき、上記第１の面積を目標として使用することによって、上記クリーニングが必要なアプリケーションの現在の空間解放進捗または全ての上記アプリケーションの現在の空間解放進捗に応じて上記第１のアイコンの面積を低減し、上記低減の後に取得される第３の面積に従って上記第１のアイコンを表示するよう上記表示画面に命令する段階であって、上記第３の面積は上記第１の面積より小さくない、段階とを実行するよう構成される、項目１６に記載の端末。
［項目２０］
上記プロセッサはさらに、
上記第１のアイコンに対して上記ユーザによって実行され、上記入力装置によって受け取られる第１の操作を検出する段階と、
上記検出された第１の操作が、事前設定されたクリーニング操作と一致するとき、クリーニングが必要なアプリケーションの記憶空間または全ての上記アプリケーションの記憶空間を解放し、上記クリーニングが必要なアプリケーションの空間解放進捗または全ての上記アプリケーションの空間解放進捗をリアルタイムで上記デスクトップに表示するよう上記表示画面に命令する段階であって、上記クリーニングが必要なアプリケーションは、事前設定された記憶閾値より大きい記憶空間を使用する、上記第１のアイコンに対応する上記アプリケーションの中の一アプリケーションを指し、全ての上記アプリケーションは、上記第１のアイコンに対応する全ての上記アプリケーションを指す、段階と、
上記第１のアイコンに対して上記操作を実行することを上記ユーザが停止したと決定したとき、上記第１の色彩強度を目標として使用することによって、上記クリーニングが必要なアプリケーションの現在の空間解放進捗または全ての上記アプリケーションの現在の空間解放進捗に応じて上記第１のアイコンの色彩強度を低減し、上記低減された第２の色彩強度に従って上記第１のアイコンを表示するよう上記表示画面に命令する段階であって、上記第２の色彩強度は、上記第１の色彩強度より低くない、段階とを実行するよう構成される、項目１７に記載の端末。
［項目２１］
上記事前設定されたクリーニング操作は、上記デスクトップの編集状態で上記ユーザがアイコンを選択し、連続的に揺する操作である、項目１８から２０のいずれか一項に記載の端末。
［項目２２］
端末デバイス上のグラフィカルユーザインタフェースであって、上記端末デバイスは、表示画面と、メモリと、複数のアプリケーションと、上記メモリに記憶された１または複数のプログラムを実行するよう構成される１または複数のプロセッサとを備え、上記グラフィカルユーザインタフェースは、
アプリケーションインタフェース要素を表示するために使用されるインタフェースを備え、
上記アプリケーションインタフェース要素を表示するために使用される上記インタフェースは、
第１の表示モードで上記表示画面に、１または複数のアプリケーションプログラムに対応する第１のアイコンを表示することと、
上記第１のアイコンに対応する上記アプリケーションプログラムのいずれか１つである第１のアプリケーションによって使用された記憶空間が、事前設定された記憶閾値より大きいと検出したことに応答して、上記第１の表示モードとは異なる事前設定された表示モードで上記第１のアイコンを表示することとを備える、グラフィカルユーザインタフェース。
［項目２３］
上記第１の表示モードで上記表示画面に第１のアイコンを表示することは具体的に、
第１の面積に従って上記端末デバイスのデスクトップに上記第１のアイコンを表示することを有し、
上記事前設定された表示モードで上記第１のアイコンを表示することは具体的に、
上記第１の面積より大きい第２の面積に従って上記デスクトップに上記第１のアイコンを表示することを有する、
項目２２に記載のグラフィカルユーザインタフェース。
［項目２４］
上記第１の表示モードで上記表示画面に第１のアイコンを表示することは具体的に、
第１の色彩強度に従って上記端末デバイスのデスクトップに上記第１のアイコンを表示することを有し、
上記事前設定された表示モードで上記第１のアイコンを表示することは具体的に、
上記第１の色彩強度より高い第２の色彩強度に従って上記デスクトップに上記第１のアイコンを表示することを有する、
項目２２に記載のグラフィカルユーザインタフェース。
［項目２５］
第２の面積に従って上記デスクトップに上記第１のアイコンを表示する上記段階の後、上記第１のアイコンに対して実行される第１の操作が、事前設定されたクリーニング操作と一致すると検出したことに応答して、事前設定された記憶閾値より大きい記憶空間を使用する、上記第１のアイコンに対応する上記アプリケーションの中の一アプリケーションを指す、クリーニングが必要なアプリケーションの空間解放進捗、または上記第１のアイコンに対応する全ての上記アプリケーションを指す全ての上記アプリケーションの空間解放進捗を、リアルタイムで上記デスクトップに表示することと、
上記第１の操作が停止されたと検出したことに応答して、上記第１の面積を目標として使用することによって、上記クリーニングが必要なアプリケーションの現在の空間解放進捗または全ての上記アプリケーションの現在の空間解放進捗に応じて上記第１のアイコンの面積を低減し、上記低減の後に取得される、上記第１の面積より小さくない第３の面積に従って、上記第１のアイコンを表示することとをさらに備える、
項目２３に記載のグラフィカルユーザインタフェース。
［項目２６］
第２の色彩強度に従って上記デスクトップに上記第１のアイコンを表示する上記段階の後、上記第１のアイコンに対して実行される第１の操作が、事前設定されたクリーニング操作と一致すると検出したことに応答して、事前設定された記憶閾値より大きい記憶空間を使用する、上記第１のアイコンに対応する上記アプリケーションの中の一アプリケーションを指す、クリーニングが必要なアプリケーションの空間解放進捗、または上記第１のアイコンに対応する全ての上記アプリケーションを指す全ての上記アプリケーションの空間解放進捗を、リアルタイムで上記デスクトップに表示することと、
上記第１の操作が停止されたと検出したことに応答して、上記第１の色彩強度を目標として使用することによって、上記クリーニングが必要なアプリケーションの現在の空間解放進捗または全ての上記アプリケーションの現在の空間解放進捗に応じて上記第１のアイコンの色彩強度を低減し、上記第１の色彩強度より低くない、第２の色彩強度に従って、上記第１のアイコンを表示することとをさらに備える、
項目２４に記載のグラフィカルユーザインタフェース。
［項目２７］
１または複数のプログラムを記憶するコンピュータ可読記憶媒体であって、上記１または複数のプログラムは命令を含み、ディスプレイおよび複数のアプリケーションプログラムを備える電子デバイスが上記命令を実行するとき、上記電子デバイスは、項目１から７に記載の方法を実行することを可能にされ、上記ディスプレイは、表示画面を有する、コンピュータ可読記憶媒体。
［項目２８］
ディスプレイおよび複数のアプリケーションプログラムを備える電子デバイスにおいて使用される情報処理装置であって、上記ディスプレイは表示画面を有し、上記情報処理装置は、
第１の表示モードで上記表示画面に第１のアイコンを表示するよう構成される装置と、
第１のアプリケーションによって使用された記憶空間が上記第１のアプリケーションの事前設定された記憶閾値より大きいか否かを決定するよう構成される装置であって、上記第１のアイコンは、１または複数のアプリケーションに対応し、上記第１のアプリケーションは、上記第１のアイコンに対応する上記アプリケーションのいずれか１つである、装置と、
上記第１のアプリケーションによって使用された上記記憶空間が、上記事前設定された記憶閾値より大きいと決定されたとき、事前設定された表示モードで上記第１のアイコンを表示するよう構成される装置であって、上記事前設定された表示モードは、上記第１の表示モードとは異なる、装置とを備える、
情報処理装置。
［項目２９］
第１の表示モードで上記表示画面に第１のアイコンを表示するよう構成される上記装置は具体的に、
第１の面積に従って上記表示画面のデスクトップ表示インタフェースに上記第１のアイコンを表示するよう構成される装置であり、
事前設定された表示モードで上記第１のアイコンを表示するよう構成される上記装置は具体的に、
第２の面積に従って上記デスクトップに上記第１のアイコンを表示するよう構成される装置であって、上記第２の面積は、上記第１の面積より大きい、装置である、
項目２８に記載の情報処理装置。
［項目３０］
第１の表示モードで上記表示画面に第１のアイコンを表示するよう構成される上記装置は具体的に、
第１の色彩強度に従って上記表示画面のデスクトップ表示インタフェースに上記第１のアイコンを表示するよう構成される装置であり、
事前設定された表示モードで上記第１のアイコンを表示するよう構成される上記装置は具体的に、
第２の色彩強度に従って上記デスクトップに上記第１のアイコンを表示するよう構成される装置であって、上記第２の色彩強度は、上記第１の色彩強度より高い、装置である、
項目２８に記載の情報処理装置。
［項目３１］
上記第１のアイコンに対して実行される第１の操作を検出するよう構成される装置と、
上記第１の操作が事前設定されたクリーニング操作と一致するとき、クリーニングが必要なアプリケーションの記憶空間または全ての上記アプリケーションの記憶空間をクリーニングするよう構成される装置であって、上記クリーニングが必要なアプリケーションは、事前設定された記憶閾値より大きい記憶空間を使用する、上記第１のアイコンに対応する上記アプリケーションの中の一アプリケーションを指し、全ての上記アプリケーションは、上記第１のアイコンに対応する全ての上記アプリケーションを指す、装置と
をさらに備える、項目２８に記載の情報処理装置。
［項目３２］
上記第１のアイコンに対して実行される第１の操作を検出するよう構成される装置と、
上記第１の操作が、事前設定されたクリーニング操作と一致するとき、クリーニングが必要なアプリケーションの記憶空間または全ての上記アプリケーションの記憶空間を解放し、上記クリーニングが必要なアプリケーションの空間解放進捗または全ての上記アプリケーションの空間解放進捗をリアルタイムで上記デスクトップに表示するよう構成される装置であって、上記クリーニングが必要なアプリケーションは、事前設定された記憶閾値より大きい記憶空間を使用する、上記第１のアイコンに対応する上記アプリケーションの中の一アプリケーションを指し、全ての上記アプリケーションは、上記第１のアイコンに対応する全ての上記アプリケーションを指す、装置と、
上記第１のアイコンに対して上記操作を実行することをユーザが停止したと決定されたとき、上記第１の面積を目標として使用することによって、上記クリーニングが必要なアプリケーションの現在の空間解放進捗または全ての上記アプリケーションの現在の空間解放進捗に応じて上記第１のアイコンの面積を低減し、上記低減の後に取得される第３の面積に従って上記第１のアイコンを表示するよう構成される装置であって、上記第３の面積は、上記第１の面積より小さくない、装置と
をさらに備える、項目２９に記載の情報処理装置。
［項目３３］
上記第１のアイコンに対して実行される第１の操作を検出するよう構成される装置と、
上記第１の操作が、事前設定されたクリーニング操作と一致するとき、クリーニングが必要なアプリケーションの記憶空間または全ての上記アプリケーションの記憶空間を解放し、上記クリーニングが必要なアプリケーションの空間解放進捗または全ての上記アプリケーションの空間解放進捗をリアルタイムで上記デスクトップに表示するよう構成される装置であって、上記クリーニングが必要なアプリケーションは、事前設定された記憶閾値より大きい記憶空間を使用する、上記第１のアイコンに対応する上記アプリケーションの中の一アプリケーションを指し、全ての上記アプリケーションは、上記第１のアイコンに対応する全ての上記アプリケーションを指す、装置と、
上記第１のアイコンに対して上記操作を実行することをユーザが停止したと決定されたとき、上記第１の色彩強度を目標として使用することによって、上記クリーニングが必要なアプリケーションの現在の空間解放進捗または全ての上記アプリケーションの現在の空間解放進捗に応じて上記第１のアイコンの色彩強度を低減し、上記低減された第２の色彩強度に従って上記第１のアイコンを表示するよう構成される装置であって、上記第２の色彩強度は、上記第１の色彩強度より低くない、装置と
をさらに備える、項目３０に記載の情報処理装置。
［項目３４］
電子デバイス上のグラフィカルユーザインタフェースであって、上記電子デバイスは、ディスプレイと、メモリと、複数のアプリケーションプログラムと、上記メモリに記憶された１または複数のプログラムを実行するよう構成される１または複数のプロセッサとを備え、上記グラフィカルユーザインタフェースは、項目１から７のいずれか一項に記載の方法を使用することによって表示されるユーザインタフェースを備え、ディスプレイは表示画面を有する、グラフィカルユーザインタフェース。
［項目３５］
表示画面を有するディスプレイと、
１または複数のプロセッサと、
メモリと、
複数のアプリケーションプログラムと、
１または複数のプログラムとを備え、上記１または複数のプログラムは、上記メモリに記憶され、上記１または複数のプロセッサによって実行されるよう構成され、上記１または複数のプログラムは、項目１から７のいずれか一項に記載の方法を実行するために使用される命令を有する、
電子機器。
［項目３６］
電子デバイスにおいて使用される情報処理装置であって、上記電子デバイスは、ディスプレイおよび複数のアプリケーションプログラムを備え、上記情報処理装置は、
項目１から７のいずれか一項に記載の方法を実行するよう構成される装置を備え、上記ディスプレイは表示画面を有する、情報処理装置。
【図１】
0006537207.tif 000004
【図２】
0006537207.tif 000005
【図３】
0006537207.tif 000006
【図４】
0006537207.tif 000007
【図５】
0006537207.tif 000008
【図６】
0006537207.tif 000009
【図７】
0006537207.tif 000010
【図８】
0006537207.tif 000011
【図９】
0006537207.tif 000012
【図１０】
0006537207.tif 000013
【図１１】
0006537207.tif 000014
【図１２】
0006537207.tif 000015
【図１３】
0006537207.tif 000016
【図１４】
0006537207.tif 000017
【図１５】
0006537207.tif 000018
【図１６】
0006537207.tif 000019